(57)【要約】（既存の）光学要素またはシステムの付加物（例えば、補助レンズ／光学素子）として作用するよう構成された部分的または不完全型の光学素子（２３２０）を含む光学デバイス（２３００）であって、部分的または不完全型の光学素子が、光学要素またはシステムに対して構成された有効領域を有し、部分的または不完全型の光学素子は、有効領域上に入射または有効領域に提供される光の焦点を制御または変更し、且つ、部分的または不完全型の光学素子の光学的に関連する部分を避ける光の焦点は制御または変更しない、光学デバイス、および視力強化のための関連方法。【選択図】図２３
2018532517.tif 000002
【特許請求の範囲】
【請求項１】
光学素子を有する光学デバイスであって、
光学素子は、光学要素またはシステムに対する付加物として作用するよう構成された部分的または不完全型の光学素子であって、
部分的または不完全型の光学素子が、光学要素またはシステムに対して構成された有効領域を有し、
部分的または不完全型の光学素子は、有効領域上に入射または有効領域に提供される光の焦点を制御または変更し、且つ、部分的または不完全型の光学素子の光学的に関連する部分を避ける光の焦点は制御または変更しない、光学デバイス。
【請求項２】
部分的または不完全型の光学素子は、一部円盤である、または一部円盤を含む、請求項１に記載の光学デバイス。
【請求項３】
光学デバイスは、有効領域に隣接する、および／または、有効領域と重ならない開口を含む、請求項１に記載の光学デバイス。
【請求項４】
開口は、有効領域よりも大きい光学デバイスの部分を包含する、請求項３に記載の光学デバイス。
【請求項５】
有効領域は扇形状である、請求項１に記載の光学デバイス。
【請求項６】
光学要素またはシステムのまたはその関連の視線（ＬＯＳ）または視軸（ＶＡ）が、有効領域の最上部またはその近傍にあるように、有効領域が構成される、請求項１に記載の光学デバイス。
【請求項７】
光学要素またはシステムの光学領域に入射または提供される光の焦点を有効領域が制御または変更するように、部分的または不完全型の光学素子が構成される、請求項１に記載の光学デバイス。
【請求項８】
光学領域が扇形状、および／または、光学要素またはシステムのまたはその関連の視線（ＬＯＳ）または視軸（ＶＡ）の下方に光学領域が少なくとも部分的に配置されるように、部分的または不完全型の光学素子が構成される、請求項１に記載の光学デバイス。
【請求項９】
光学要素またはシステムと協働して作用する領域固有またはセクタ固有の補助レンズ／光学素子を提供するように、有効領域が構成される、請求項１に記載の光学デバイス。
【請求項１０】
有効領域は、１つ以上の屈折光学素子または光学要素を含む、請求項１に記載の光学デバイス。
【請求項１１】
有効領域は、１つ以上の回折光学素子または光学要素を含む、請求項１に記載の光学デバイス。
【請求項１２】
部分的または不完全型の光学素子は、眼内レンズ（ＩＯＬ）の一部の形態にて設けられる、および／または、眼内レンズ（ＩＯＬ）の少なくとも一部を含む、請求項１に記載の光学デバイス。
【請求項１３】
有効領域は、光を遮断または拡散するように構成されたおよび／または処理された端部または側部を含むまたは備える、請求項１に記載の光学デバイス。
【請求項１４】
端部または側部は光吸収表面層を含む、請求項１３に記載の光学デバイス。
【請求項１５】
端部または側部での光沢が、端部または側部に対して指定された光沢度（ＧＵ）値よりも小さくなるように施されたまたは提供された表面処理を、端部または側部が含む、請求項１３に記載の光学デバイス。
【請求項１６】
端部または側部の表面粗さが７〜１５ミクロンの山谷（ｐｅａｋ−ｖａｌｌｅｙ）高さ値を有するように施されたまたは提供された表面仕上げを、端部または側部が含む、請求項１３に記載の光学デバイス。
【請求項１７】
端部または側部が、ナノチップまたはコーンを有するナノ構造を含む、請求項１３に記載の光学デバイス。
【請求項１８】
端部または側部がコーン型または略コーン型のナノ構造を含み、該ナノ構造において、ベース直径が１００〜３００ｎｍであり、高さが１０００〜１６０００ｎｍである、請求項１３に記載の光学デバイス。
【請求項１９】
端部または側部がナノ構造を含み、該ナノ構造は、ナノチップ、ナノアレイ、ナノ構造の非周期的または他のアレイ、反射防止構造、生体模倣構造、またはそれらの一つの組み合わせ、または複数の組み合わせを含む、請求項１３に記載の光学デバイス。
【請求項２０】
光学デバイスが、１つ以上のクリップ、爪、アンカー、触覚または支持構造をさらに有する、請求項１に記載の光学デバイス。
【請求項２１】
部分的または不完全型の光学素子は、開口の一部分を画定する円周リングを含み、
光学デバイスは、触覚または支持構造の腕が圧縮されているときに開口に隣接する円周リングの湾曲を防止するように、円周リングの周辺全体またはその近傍に構造支持を提供するよう保証かつ構成された、請求項３に記載の光学デバイス。
【請求項２２】
部分的または不完全型の光学素子および円周リングが第１の材料により構成され、
触覚または支持構造が、第１の材料よりも硬い第２の材料で構成された１つまたは複数の周辺支持／接続構造を含む、請求項２１に記載の光学デバイス。
【請求項２３】
部分的または不完全型の光学素子は、開口の一部分を画定する円周リングを含み、
光学デバイスは、触覚または支持構造の腕が圧縮されているときに開口に隣接する円周リングの湾曲を防止するように、円周リングの周辺に構造支持を提供するよう保証かつ構成された、請求項３に記載の光学デバイス。
【請求項２４】
部分的または不完全型の光学素子および円周リングは第１の材料により構成され、触覚または支持構造は、第１の材料よりも硬い第２の材料により構成された周辺支持／接続構造を含む、請求項２３に記載の光学デバイス。
【請求項２５】
触覚または支持構造は、部分的または不完全型の光学素子の１つ以上の境界に対して対称的に構成された周辺支持／接続構造を含む、請求項２３に記載の光学デバイス。
【請求項２６】
触覚または支持構造は、開口に対して対称的に構成された周辺支持／接続構造を含む、請求項２３に記載の光学デバイス。
【請求項２７】
触覚または支持構造は周辺支持／接続構造を含み、該構造は、円周リングの他の周辺部分に直接接続されておらず、光学デバイスが該他の周辺部分で折り畳み可能に構成される、請求項２３に記載の光学デバイス。
【請求項２８】
触覚または支持構造は周辺支持／接続構造を含み、該構造は、光学デバイスが折り畳み可能な光学デバイスの部分に対して光学デバイスの対向側にて構成される、請求項２３に記載の光学デバイス。
【請求項２９】
周辺部は、円周リングの対向側にあり、光学デバイスが折り畳み可能な光学デバイスの部分と交差する軸からほぼ等距離にある、請求項２３に記載の光学デバイス。
【請求項３０】
触覚または支持構造は湾曲端部を備えた周辺支持／接続構造を備え、円周リングは、該湾曲端部に隣接する露出周辺部分を備える、請求項２３に記載の光学デバイス。
【請求項３１】
付加物としての部分的または不完全型の光学素子を既存の光学要素またはシステムに対して提供する工程を有し、
部分的または不完全型の光学素子は、既存の光学要素またはシステムに対して構成された有効領域を有し、
部分的または不完全型の光学素子は、有効領域上に入射または有効領域に提供される光の焦点を制御または変更し、且つ、部分的または不完全型の光学素子の光学的に関連する部分を避ける光の焦点は制御または変更しない、視力強化方法。
【請求項３２】
有効領域が、光学要素またはシステムの光学領域に入射または提供される光の焦点を制御または変更するよう、既存の光学要素またはシステムに対して部分的または不完全型の光学素子を配置する工程を、部分的または不完全型の光学素子を提供する工程が含む、請求項３１に記載の視力強化方法。
【請求項３３】
光学領域が扇形状である、および／または、既存の光学要素またはシステムのまたはその関連の視線（ＬＯＳ）または視軸（ＶＡ）の下方に光学領域が少なくとも部分的に配置される、請求項３２に記載の視力強化方法。
【請求項３４】
既存の光学要素またはシステムは、眼に移植されたレンズを含み、
部分的または不完全型の光学素子を提供する工程は、レンズの移植に続いて行われる、請求項３１に記載の視力強化方法。
【請求項３５】
既存の光学要素またはシステムは、眼に移植されたレンズを含み、
部分的または不完全型の光学素子を提供する工程は、以下の場所にて眼に部分的または不完全型の光学素子を配置する工程を含む、請求項３１に記載の視力強化方法。
虹彩前方／前房内
虹彩またはその近傍
虹彩後方／毛様溝中、または
水晶体嚢内
【請求項３６】
既存の光学要素またはシステムは、眼に移植されたレンズを含み、
部分的または不完全型の光学素子を提供する工程は、眼の１つまたは複数の以下の部分を利用して、部分的または不完全型の光学素子を眼内に固定する工程を含む、請求項３１に記載の視力強化方法。
虹彩
前房
毛様溝
水晶体嚢
【請求項３７】
光を遮断または拡散する端部または側部を有効領域に設ける工程をさらに有する、請求項３１に記載の視力強化方法。
【請求項３８】
光を遮断または拡散する端部または側部を設ける工程が、光学領域に影響を与えることなく、端部または側部にて、外側から内側に向けて、表面処理または仕上げを施す工程を含む、請求項３７に記載の視力強化方法。
【請求項３９】
光を遮断または拡散する端部または側部を設ける工程が、端部または側部に光吸収表面層を施す工程を含む、請求項３７に記載の視力強化方法。
【請求項４０】
光を遮断または拡散する端部または側部を設ける工程が、端部または側部での光沢が、端部または側部に対して指定された光沢度（ＧＵ）値よりも小さくなるように、端部または側部にて表面処理を施す工程を含む、請求項３７に記載の視力強化方法。
【請求項４１】
光を遮断または拡散する端部または側部を設ける工程が、端部または側部の表面粗さが７〜１５ミクロンの山谷（ｐｅａｋ−ｖａｌｌｅｙ）高さ値を有するように、端部または側部にて表面仕上げを施す工程を含む、請求項３７に記載の視力強化方法。
【請求項４２】
光を遮断または拡散する端部または側部を設ける工程が、リソグラフィ技術、エッチング技術、ＵＶ／オゾン表面技術の１つまたは複数を利用して、端部または側部に対し、１つまたは複数の表面構造を施すおよび／または変形させる工程を含む、請求項３７に記載の視力強化方法。
【請求項４３】
光を遮断または拡散する端部または側部を設ける工程が、ナノチップまたはコーンを有するナノ構造を提供する工程を含む、請求項３７に記載の視力強化方法。
【請求項４４】
光を遮断または拡散する端部または側部を設ける工程が、コーン形状または略コーン形状のナノ構造を提供する工程を含み、該ナノ構造において、ベース直径が１００〜３００ｎｍであり、高さが１０００〜１６０００ｎｍである、請求項３７に記載の視力強化方法。
【請求項４５】
光を遮断または拡散する端部または側部を設ける工程が、端部または側部にナノ構造を提供する工程を含み、該ナノ構造は、ナノチップ、ナノアレイ、ナノ構造の非周期的または他のアレイ、反射防止構造、生体模倣構造、またはそれらの一つの組み合わせ、または複数の組み合わせを含む、請求項３７に記載の視力強化方法。
【発明の詳細な説明】
【技術分野】
【０００１】
（関連出願との相互参照）
２０１５年１１月９日に出願された“部分的または不完全型の光学素子を有する光学デバイスおよび関連方法”と題する米国仮出願第６２／２５２，７４４号の優先権を主張し、その完全な開示は参照により本明細書に組み込まれる。
【０００２】
本発明は、手術（例えば、移植または据え付け）構成において、別の（例えば、眼内レンズまたは他の眼内レンズによって得られる）視力を補正または改善する設計を有するレンズまたは光学素子などの光学デバイスまたは素子、および視覚を強化するための関連方法に関する。
【背景技術】
【０００３】
図１は、Ａｌｃｏｎによって販売されているＲｅＳＴＯＲ（登録商標）Ｍｕｌｔｉｆｏｃａｌ  ＩＯＬのような従来の円形回折多焦点光学素子の例において、望ましくない視覚症状、ハローおよびフレアの形成（または病因）を視覚的に描写する“問題形成”図である。図８は、従来の円形回折多焦点光学素子（前述の図１を参照）を含む眼および光学素子またはシステム（眼内／眼内）を示す図であり、従来の円形回折多焦点光学素子を横切って水平方向に光を掃引し、（フレア/グレアの元となる）フレアを引き起こす中心窩に向けて（一時的なバーストとして）光を再指向させる様子を描いた図である。さらに、ＲｅＳＴＯＲ（登録商標）ＩＯＬなどの複数の回折ゾーンを規定する表面変調を有するＩＯＬは、より高次の回折パワーに起因する二次的な像ぼけをもたらす。
【０００４】
このような問題および望ましくない視覚的症状に対処する従来の試みには、多焦点光学素子（例えば、オランダのオクレンティスＢＶによって販売されているＬＥＮＴＩＳ（登録商標）ＭｐｌｕｓＸ多焦点ＩＯＬなど）の範囲内で、視界を上方に調整することによって患者が“フレア”（例えば、夜間にヘッドライトを動かすことに起因するもの）を最小限に抑えることを可能にすべく下方に配置される扇形状の近方視領域を有する屈折光学素子ＩＯＬが含まれる。（前述の回折多焦点光学素子と比較して）このようなＩＯＬには“高次”回折パワーがないため、より小さい二次ぼけ像を提供し、中間物体の解像度を改善し、視覚障害による光散乱およびその知覚を低減する。
【０００５】
多くの患者は、例えば、移植式ＩＯＬのような光学デバイスからより質の高い生活の恩恵を受け、体験する。しかしながら、人々の加齢に伴い、既存の光学デバイス（例えば、以前に眼に移植されたＩＯＬ）によって（視覚補助具を用いて）得られる視覚が変化する。さらに、老化に関連した複数の異なる視覚問題（通常、老視同時４５−５０、白内障６０−６５、進行性黄斑変性症（ＡＭＤ）７０−７５）は、しばしば対処するのが難しい。いくつかの状況では、例として、以前に移植されたレンズを除去することは困難である。
【０００６】
既存の光学要素またはシステム（例えば、眼内／眼を含む）のための付加物（ａｄｄ−ｏｎ）（例えば、補助レンズ／光学素子）の形態の光学デバイスを提供可能とすることは有用である。
【０００７】
光学要素またはシステム（例えば、ＩＯＬのような光学デバイスを含む）のための付加物（例えば、補助レンズ／光学素子）を提供可能とすることは有用である。
【０００８】
既存の光学要素またはシステム（例えば、眼内／眼を含む）に対し、既存の光学要素またはシステムによって得られる像のアスペクト比（または面積）を補正または改善する（例えば、既存の光学要素またはシステムが得る他の視覚に影響を与えることなく、新規または後で進行／顕在化する視覚問題のみに対処する）光学デバイス／付加物（例えば、補助レンズ／光学素子）を提供可能とすることは有用である。
【０００９】
望ましくない視覚的症状、ハローおよびフレア、および／または視覚障害の知覚を減少させる光学デバイス（例えば、補助レンズ／光学素子）を提供可能とすることは有用である。
【発明の概要】
【００１０】
本明細書に記載された実施形態は、（既存の、既に構築／構成／組み立て、または既に若しくは以前に取り付けられた）付加物（例えば、補助レンズ／光学素子）として作用するよう構成された部分的または不完全型の光学素子を含む、または形成される光学デバイスを提供する技術および方法論に関する。部分的または不完全型の光学素子は、例えば、眼における別のレンズ（例えば、以前に移植されたもの）のための付加物レンズ／光学素子として提供される。例示的な実施形態および実装形態では、眼内に以前（ある場合には、依然として）存在した光学要素またはシステムの移植および／または他の位置決めの後に進行／顕在化する視覚問題に、優先的にまたは特化して対処するよう、部分的または不完全型の光学素子は構成される。例示的な実施形態および実装形態では、光学要素またはシステムが以前に提供されることにより対処した第１の視覚問題と共に既に併存していた第２の（例えば、未治療または不適切に治療された）視覚問題に、優先的にまたは特化して対処するよう、部分的または不完全型の光学素子は構成される。例示的な実施形態および実装形態では、部分的または不完全型の光学素子および別の光学要素またはシステムは、複数の視覚問題に対処するように構成される。例えば、第１の視覚問題に対処する光学素子またはシステム（例えば、第１のレンズ）および第２の視覚問題に対処する部分的または不完全型の光学素子（例えば、部分的な光学素子／レンズ）は、（例えば、１回の手術または一度の侵襲的処置の過程で）共に構成／移植される。または、部分的または不完全型の光学素子は、光学素子またはシステムが構成／移植された直後に構成／移植される（またはその逆）。近用焦点を設けることにより、例えば、（既存の）光学要素またはシステムに単焦点または多焦点（セクタ）の光学素子を加えることにより、像を拡大する有効領域（または部分、例えば、１つまたは複数の領域またはセクタ）を有するまたは効果的に提供する付加レンズ／光学素子（例えば、ＩＯＬおよび／または一部円盤状）として、部分的または不完全型の光学素子を提供することが可能である。
【００１１】
例示的な実施形態では、（既存の）光学要素またはシステムの付加物（例えば、補助レンズ／光学素子）として作用するよう構成された部分的または不完全型の光学素子であって、光学要素またはシステムに対して構成された有効領域（または部分、例えば、１つまたは複数の領域またはセクタ）を有し、有効領域上に入射または有効領域に提供される光の焦点を制御または変更し、且つ、部分的または不完全型の光学素子の光学的に関連する部分を避ける光の焦点は制御または変更しない、部分的または不完全型の光学素子を、光学デバイスは有する。
【００１２】
例示的な実施形態および実装形態では、光学要素もしくはシステムまたは（既存の）光学要素もしくはシステムのまたはその関連の視線（ＬＯＳ）または視軸（ＶＡ）が、有効領域の最上部またはその近傍にある（交差する）ように、（部分的または不完全型の光学素子の）有効領域（例えば、扇形状のセクタ）が（例えば、光学要素またはシステムに対して）構成される。
【００１３】
例示的な実施形態および実装形態では、（部分的または不完全型の光学素子の）有効領域は、光（すなわち、迷光、具体的には、光デバイスの端部または側部を横切って水平に掃引する光として発生する一時的バースト、そうでない場合はフレア／グレアの元となる、光の中心窩への再指向でも起こり得る）を遮断（遮蔽）または拡散するように構成されたおよび／または処理された（１つまたは複数の）端部または側部（例えば、全体的に放射状に広がる遷移部／ゾーン）を含むまたは備える。例えば、端部または側部は、光吸収表面層、表面処理または仕上げ、ナノ構造（例えば、ナノチップまたはコーンを有する）、または、そのような光作用構造の一つの組み合わせ若しくは複数の組み合わせを含む（または備える）。
【００１４】
例示的な実施形態では、視力強化方法は、付加物としての部分的または不完全型の光学素子を既存の光学要素またはシステムに対して提供する工程を有し、部分的または不完全型の光学素子は、既存の光学要素またはシステムに対して構成された有効領域（または部分、例えば、１つまたは複数の領域またはセクタ）を有し、部分的または不完全型の光学素子は、有効領域上に入射または有効領域に提供される光の焦点を制御または変更し、且つ、部分的または不完全型の光学素子の光学的に関連する部分を避ける光の焦点は制御または変更しない。
【００１５】
例示的な実施形態および実装形態では、（部分的または不完全型の光学素子の）有効領域が、既存の光学要素またはシステムの光学領域（またはエリア）に入射または提供される光の焦点を制御または変更するよう、既存の光学要素またはシステムに対して部分的または不完全型の光学素子が（既存の光学要素またはシステムに対して）配置される。例示的な実施形態および実装形態では、光学領域（またはエリア）が（全体的に）扇形状である、および／または、既存の光学要素またはシステムのまたはその関連の視線（ＬＯＳ）または視軸（ＶＡ）の下方（垂直の意味での下方）に光学領域（またはエリア）が少なくとも部分的に（例えば、大部分が）配置される。
【００１６】
例示的な実施形態および実装形態では、既存の光学要素またはシステムは、眼（例えば、人間の眼）（または他の視機構もしくはデバイス）に移植されたレンズ（または他の光学要素）を含み、部分的または不完全型の光学素子を提供する工程は、レンズ（または他の光学要素）の移植に続いて行われる。
【００１７】
視覚強化方法は、光（すなわち、迷光、具体的には、光デバイスの端部または側部を横切って水平に掃引する光として発生する一時的バースト、そうでない場合はフレア／グレアの元となる、光の中心窩への再指向でも起こり得る）を遮断（遮蔽）または拡散する（１つまたは複数の）端部または側部を、（部分的または不完全型の光学素子の）有効領域に設ける工程をさらに有することも可能である。例えば、光を遮断（遮蔽）または拡散する端部または側部を設ける工程において容易化または利用される工程は、光学領域に影響を与えることなく、端部または側部にて、外側から内側に向けて、表面処理または仕上げ（例えば、マット仕上げ）を施す工程を含むことが可能であり、端部または側部に光吸収表面層を施す工程を含むことが可能であり、端部または側部に表面（粗化／変形）処理を施す工程を含むことが可能であり、端部または側部に表面仕上げ（山谷（ｐｅａｋ−ｖａｌｌｅｙ）高さ値の範囲内にて表面粗さを加える）を施す工程を含むことが可能であり、リソグラフィ技術、エッチング技術、ＵＶ／オゾン表面技術の１つまたは複数を利用して、端部または側部にて、１つまたは複数の表面構造を施すおよび／または変形させる工程を含むことが可能であり、端部または側部にナノ構造、例えば、ナノチップ（コーン）を提供する工程を含むことが可能であり、それらの工程の一つの組み合わせまたは複数の組み合わせを含むことが可能である。
【図面の簡単な説明】
【００１８】
【図１】図１は、従来の円形回折多焦点光学素子の例において、望ましくない視覚的症状、ハローおよびフレアの形成（または病因）を視覚的に描写する“問題形成”図である。
【図２】図２Ａおよび図２Ｂは、部分的または不完全型の光学素子の例示的な実施形態の斜視図および平面図である（様々な実施形態において、部分的または不完全型の光学素子は、既存の光学要素またはシステムの付加物として役に立つまたは付加物を提供するよう作用すべく構成可能な光学デバイスを提供するかまたはその一部である、および／または、機能または付加物を提供するよう作用すべく構成可能なレンズ／光学素子設計によりもたらされる）。
【図３】図３は、眼内の（既存の）光学要素またはシステムの例を示す概略図である。
【図４】図４Ａは、眼内の（／眼を含む）光学要素またはシステムを示す概略図であり、光学要素またはシステムは、光学デバイスまたは光学素子（例えば、ＩＯＬの形態）と部分的または不完全型の光学素子とを含み、部分的または不完全型の光学素子は、図２Ａおよび図２Ｂの部分的または不完全型の光学素子と同様に、本発明の少なくとも一実施形態と合致する光学要素またはシステムへの付加物として、作用するよう構成され、光学要素またはシステムのまたはその関連の視線（ＬＯＳ）または視軸（ＶＡ）に対して一部上方に配置される。図４Ｂは、眼内の（／眼を含む）光学要素またはシステムを示す概略図であり、光学要素またはシステムは、光学デバイスまたは光学素子（例えば、ＩＯＬの形態）と部分的または不完全型の光学素子とを含み、部分的または不完全型の光学素子は、図２Ａおよび図２Ｂの部分的または不完全型の光学素子と同様に、本発明の少なくとも一実施形態と合致する光学要素またはシステムへの付加物として、作用するよう構成され、光学要素またはシステムに関連する視線（ＬＯＳ）または視軸（ＶＡ）に対して下方に配置される。
【図５】図５は、光学要素またはシステム（例えば、ＩＯＬの形態）および部分的または不完全型の光学素子、例えば、図２Ａ、図２Ｂおよび図４Ａの光学要素またはシステムと同様のものを示す平面図であり、本発明の少なくとも一実施形態と合致する光学要素またはシステムへの付加物として、作用するよう構成され、光学要素またはシステムのまたはその関連の視線（ＬＯＳ）または視軸（ＶＡ）に対して一部上方（例えば、大部分が下方）に配置される。
【図６】図６は、（上記図１参照の）従来の円形回折多焦点光学素子が（遠方からの）光を受けて再指向させ、図示されているように光ビームウエストを形成する２つの完全円ぼかし円盤（遠用プラス近用度数）を提供し、中間視においてより低い光学分解能をもたらす様子を示す図である。
【図７】図７は、部分的または不完全型の光学素子と共に存在する既存の屈折（または他の）光学素子（例えば、図２Ａおよび図２Ｂのものと同様）が、近用焦点を設けることにより像を拡大する付加物として作用するよう構成され、（遠方からの）光を受けて再指向させ、（図６に示す従来の円形回折多焦点光学素子により提供される光ビームウエストに比べて）より小さな光ビームウエストを形成する２つの半円ぼかし円盤（遠用プラス近用度数）を提供し、中間視においてより低い光学分解能をもたらす様子を示す図である。
【図８】図８は、従来の円形回折多焦点光学素子（前述の図１を参照）を含む眼および光学要素またはシステム（眼内／眼内）の斜視断面図であり、従来の円形回折多焦点光学素子を横切って水平に掃引する光を描いたものであり、フレアを引き起こす（フレア／グレアの元となる）中心窩に（一時的なバーストとして）再指向する様子を示す図である。
【図９】図９は、眼および部分的または不完全型の光学素子、例えば、図２Ａおよび図２Ｂと同様の光学素子の斜視断面図であり、眼内への光学要素またはシステム（例えば、ＩＯＬ、以前に移植され、より良好な説明目的のために上部の四分円が除去されたＩＯＬ）に対する付加物として作用するように構成され、部分的または不完全型の光学素子を横切って水平に掃引する光を描いたものであり、フレアを引き起こさないように中心窩に再指向（図示）する様子を示す図である。
【図１０】図１０Ａおよび図１０Ｂは、それぞれ、図２Ａおよび図２Ｂのものと同様の部分的または不完全型の光学素子を含む光学デバイスの例示的な実施形態の斜視図および平面図である。
【図１１】図１１Ａおよび図１１Ｂは、それぞれ、図２Ａおよび図２Ｂのものと同様の部分的または不完全型の光学素子と、円周リングおよびループ触覚（光学デバイスおよびその部分的または不完全型の光学素子、様々な実施形態において、既存の光学素子に作用するように、または既存の光学素子に付加物を提供するように構成可能なレンズ／またはシステム）とを含む光学デバイスの例示的な実施形態の斜視図および平面図である。
【図１２】図１２Ａおよび図１２Ｂは、それぞれ、図２Ａおよび図２Ｂのものと同様の部分的または不完全型の光学素子と、円周リングおよび板状触覚（光学デバイスおよびその部分的または不完全型の光学素子、様々な実施形態において、既存の光学要素またはシステムの役に立つまたは既存の光学要素またはシステムに対して付加されるよう作用すべく構成可能なレンズ／光学素子設計を実現したもの）とを含む光学デバイスの例示的な実施形態の斜視図および平面図である。
【図１３】図１３Ａおよび図１３Ｂは、それぞれ、図２Ａおよび図２Ｂのものと同様の部分的または不完全型の光学素子と、円周リング、および、虹彩に固定されるよう構成された触覚（光学デバイスおよびその部分的または不完全型の光学素子、様々な実施形態において、既存の光学要素またはシステムの役に立つまたは既存の光学要素またはシステムに対して付加されるよう作用すべく構成可能なレンズ／光学素子設計を実現したもの）とを含む光学デバイスの例示的な実施形態の斜視図および平面図である。
【図１４】図１４Ａおよび図１４Ｂは、それぞれ、図２Ａおよび図２Ｂのものと同様の部分的または不完全型の光学素子と、円周リング、および、前房に配置されるよう構成された触覚（光学デバイスおよびその部分的または不完全型の光学素子、様々な実施形態において、既存の光学要素またはシステムの役に立つまたは既存の光学要素またはシステムに対して付加されるよう作用すべく構成可能なレンズ／光学素子設計を実現したもの）とを含む光学デバイスの例示的な実施形態の斜視図および平面図である。
【図１５】図１５Ａおよび図１５Ｂは、それぞれ、図２Ａおよび図２Ｂのものと同様の、扇形状の有効領域を有する部分的または不完全型の光学素子の例示的な実施形態の斜視図および平面図である。
【図１６】図１６は、（図１５Ａおよび図１５Ｂに示す光学素子とは異なるが）全体的に扇形状の有効領域を有する部分的または不完全型の光学素子の別の例示的な実施形態の平面図であり、光学素子の有効領域には、追加の端部または端面、すなわち、凹状の端面（または凹み）（“ＲＥ”で示される）が含まれるまたは提供される。
【図１７】図１７は、（図１５Ａおよび図１５Ｂに示す光学素子とは異なるが）全体的に扇形状の有効領域を有する部分的または不完全型の光学素子の別の例示的な実施形態の平面図であり、光学素子の有効領域には、追加の端部または端面、すなわち、凸状の端面（または突起）（“ＰＲ”で示される）が含まれるまたは提供される。
【図１８】図１８は、視覚を強化する例示的な方法のフロー図である。
【図１９】図１９は、図２Ａおよび図２Ｂのものと同様の、部分的または不完全型の光学素子の例示的な実施形態の平面図であり、光学素子は、全体的に扇形の有効領域と、端部または側部とを有する。図１９Ａは、図１９の光学素子の部分拡大図であり、（“Ｔ１”で示される矢印によって表されるように、外側から内側に向けて）光を処理、仕上げまたは他の変形を施し、光を遮断または拡散する端部または側部を有する有効領域を提供する工程の図解表現を含む。図１９Ｂは、図１９の光学素子の部分拡大図であり、（“Ｔ１・・・ＴＮ”で示される複数の態様での矢印によって表されるように、外側から内側に向けて）光を処理、仕上げまたは他の変形を施し、光を遮断または拡散する端部または側部を有する有効領域を提供する工程の図解表現を含む。図１９Ｃは、一連の図において、処理、仕上げまたは他の変形をもたらす光が、（光学素子の周辺から内側へと向く矢印によって表されるように、表面Ｓに沿って）指向的に照射される、（例えば、部分的または不完全型の光学素子の有効領域の、または触覚または支持構造の）端部または側部を示す図である。
【図２０】図２０は、入射光を遮断または拡散させるナノ構造を含むまたは備えた（例えば、部分的または不完全型の光学素子の有効領域の、または触覚または支持構造の）端部または側部を示す図である。
【図２１】図２１Ａは、図２Ａおよび図２Ｂのものと同様の部分的または不完全型の光学素子と、図１１Ａおよび図１１Ｂのものと同様の円周リングおよびループ触覚（光学デバイスおよびその部分的または不完全型の光学素子、様々な実施形態において、既存の光学要素またはシステムの役に立つまたは既存の光学要素またはシステムに対して付加されるよう作用すべく構成可能なレンズ／光学素子設計を実現したもの）を含む光学デバイスの例示的な実施形態の平面図であり、（光学デバイスが設置される場合）触覚との作用的な境界を作用的に接続／提供する眼（例えば、人間の眼）内の光学デバイスまたは他の視機構若しくはデバイスを設置（例えば、移植）するために光学デバイスを折り畳み可能とすべく、光学デバイスは構成され、且つ、部分的または不完全型の光学素子および円周リングは十分に柔らかい素材（例えば、ソフトアクリル素材）にて構成される。図２１Ｂは、図２１Ａの光学デバイスの寸法を示す。
【図２２】図２２Ａは、図２Ａおよび図２Ｂのものと同様の部分的または不完全型の光学素子と、２つの湾曲形状のアームを有する円周リングおよびループ触覚（光学デバイスおよびその部分的または不完全型の光学素子、様々な実施形態において、既存の光学要素またはシステムの役に立つまたは既存の光学要素またはシステムに対して付加されるよう作用すべく構成可能なレンズ／光学素子設計を実現したもの）を含む光学デバイスの例示的な実施形態の平面図であり、ループ触覚は、円周リングの対向する外側部分にて、基部／接続要素（２つのそれぞれの湾曲形状のアーム）および周辺支持／接続構造を含み、光学デバイスは、基部／接続要素および周辺支持／接続構造が共に、（光学デバイスの）円周リング全体の周辺にてまたはその近傍にて構造を支えるよう構成される。図２２Ｂは、図２２の光学デバイスの寸法を示す。
【図２３】図２３Ａは、図２Ａおよび図２Ｂのものと同様の部分的または不完全型の光学素子と、２つの湾曲形状のアームを有する円周リングおよびループ触覚（光学デバイスおよびその部分的または不完全型の光学素子、様々な実施形態において、既存の光学要素またはシステムの役に立つまたは既存の光学要素またはシステムに対して付加されるよう作用すべく構成可能なレンズ／光学素子設計を実現したもの）を含む光学デバイスの例示的な実施形態の平面図であり、ループ触覚は、円周リングの対向する外側部分にて、基部／接続要素（２つのそれぞれの湾曲形状のアーム）および部分的または不完全型の光学素子および円周リングの素材より硬い（柔軟性が少ない）素材により構成された周辺支持／接続構造を含み、光学デバイスは、基部／接続要素および周辺支持／接続構造が共に（そして対称的に、そうでなければ部分的または不完全型の光学素子における１つまたは複数の境界に対して構成され）、（光学デバイスの）円周リング全体の周辺にてまたはその近傍にて構造を支えるよう構成される。図２３Ｂは、図２３の光学デバイスの寸法を示す。
【発明を実施するための形態】
【００１９】
本明細書に記載される本発明の例示的な実施形態は、別の光学要素またはシステム（例えば、目の中に予め移植されたレンズ）のための付加物または補助レンズ／光学素子として（例えば、ＩＯＬおよび／または一部円盤の形態で）作用するよう構成された部分的または不完全型の光学素子を含むまたはそれにより形成される光学デバイスに関する。本発明の原理は、レンズ／光学素子の要素に適用可能であり、コンタクトレンズを含む他の光学デバイスへの様々な実施において適切に適合させることができるが、コンタクトレンズに限定されるものではない。
【００２０】
図２Ａおよび図２Ｂは、部分的または不完全型の光学素子２００の例示的な実施形態を示す。（例えば、本明細書に記載されているような）部分的または不完全型の光学素子は、光学デバイスを提供するかまたはその一部である、および／または、既存の光学要素またはシステム対して付加物として役に立つまたは付加物を提供するように作用すべく構成可能であるレンズ／光学素子設計によりもたらされる。
【００２１】
図３は、光学デバイスまたは光学素子１００（例えば、ＩＯＬなど）を含む光学要素またはシステム３００を示す。光学要素またはシステム３００も、角膜１６０および網膜１８０を有する眼１４０を含み、またはそれを含むとみなすことができる。中心窩を“Ｆ”と表し、瞳孔入口を“ＰＥ”と表す。触覚（この図には不図示）も提供されてもよい。（既存の）光学デバイスまたは光学素子１００は、レンズ前面（または部分）１１２およびレンズ後面（または部分）１１３を有するレンズ本体１１０を含む。
【００２２】
本明細書で説明される技術および方法論の例示的な実施形態および実装形態は、部分的または不完全型の光学素子（例えば、図２Ａおよび図２Ｂの部分的または不完全型の光学素子２００と同様）を含むかまたは提供される光学要素またはシステム（例えば、ＩＯＬおよび／または他の光学素子を含む）に関する。図４Ａは、眼内の（／眼を含む）光学要素またはシステム４００の例示的な実施形態を示す。例示的な実施形態および実装形態は、図２Ａおよび図２Ｂの部分的または不完全型の光学素子２００と同様の部分的または不完全型の光学素子を含む（またはからなる）光学デバイスに関する。光学素子またはシステム４００は、光学デバイスまたは光学素子１００（例えば、ＩＯＬ）と、光学素子またはシステムに対する付加物として作用するよう構成される部分的または不完全型の光学素子２００とを含む。図２Ａおよび図２Ｂにも記載のように、部分的または不完全型の光学素子２００は、レンズ前面（または部分）２１２およびレンズ後面（または部分）２１３を有するレンズ本体２１０を含む。レンズ前面（または部分）２１２は球面、その代わり、またはそれに加え、非球面、および／または多焦点とすることができ、レンズ後面（または部分）２１３は平面、球面、その代わりまたはそれに加え、非球面、またはトーリック、またはその逆とすることができる。
【００２３】
部分的または不完全型の光学素子（例えば、ＩＯＬの形態）に適した材料には、疎水性アクリル材料であるＨＯＹＡ材料Ａ（ＵＳ７７１４０９０）が含まれるが、これらに限定されない。本明細書（における適切な箇所）での議論はこの物質を使用することを前提とする。他の適切な材料には、ＩＯＬおよび／または他の光学素子に適したＰＭＭＡおよび他のシリコーンまたはアクリル材料が含まれるが、これらに限定されない。他の例示的な実施形態および実装形態では、親水性材料が利用される。
【００２４】
部分的または不完全型の光学素子２００は、端部または側部を含む、または端部または側部が設けられる。端部または側部は、例えば、２つの対称面（各々を“ＳＯ”と示す）と隣接する曲面（各々を“ＳＯ´”と示す）である。（図１５Ａおよび図１５Ｂを参照して）さらに後述するように、例示的な実施形態では、部分的または不完全型の光学素子２００の（光学）有効領域は、少なくとも一部、（例えば、表面ＳＯ、ＳＯ´のような）レンズ本体２１０の１つまたは複数の端部または側部／面を含む、または端部または側部／面によって画定される。図４Ａに示す例示的な実施形態では、部分的または不完全型の光学素子２００は、光学要素またはシステム４００のまたはそれに関連する視線（ＬＯＳ）および／または視軸（ＶＡ）に対して一部上方（例えば、大部分が下方）に配置される。図４Ｂに示すように、別の例示的な実施形態では、部分的または不完全型の光学素子２００´（部分的または不完全型の光学素子２００と同様）は、光学要素またはシステム４００´への付加物として作用するよう構成され、光学要素またはシステムに関連し、視線（ＬＯＳ）および／または視軸（ＶＡ）に対して下方に配置される。
【００２５】
図５は、（例えば、ＩＯＬの形態の）光学要素またはシステム５００と、光学要素またはシステムへの付加物として作用するよう構成された部分的または不完全型の光学素子２００とを示す。例示的な実施形態および実装形態では、部分的または不完全型の光学素子の有効領域は、その有効領域が角度幅αを有するものとして説明され得る形状（例えば、光学素子の境界部分／面を含む）を有する。例えば、図５に示すように、部分的または不完全型の光学素子２００の有効領域は、部分的または不完全型の光学素子の角度幅（αで示す）が定義またはそうでなければ新たに規定するような、対称の一組の端面または側面（ＳＯ−３で示す）を含むまたは設ける。部分的または不完全型の光学素子は、対称部分／面を有するレンズ本体設計を含む種々の形状を有し得る。例えば、図５を再び参照すると、全体的に放射状に向けられた境界部分／面（“ＳＯ−１”および“ＳＯ−２”と点線で示される）を代替的に設けることができる。
【００２６】
部分的または不完全型の光学素子は、光学素子または光学素子（例えば、ＩＯＬなど）を含む（または構成する）光学要素またはシステムに対して、様々な方法で配置（位置）および構成することができる。図４Ａに示すように、この例示的な実施形態では、部分的または不完全型の光学素子２００は、光学要素またはシステム４００のまたはその関連における視線（ＬＯＳ）および／または視軸（ＶＡ）に対して一部上方（例えば、大部分が下方）に配置される。図４Ｂに示すように、この例示的な実施形態では、部分的または不完全型の光学素子２００´は、光学要素またはシステム４００´のまたはその関連における視線（ＬＯＳ）および／または視軸（ＶＡ）に対して下方に位置する。
【００２７】
図６は、（図１を参照して先に説明したような）従来の円形回折多焦点光学素子６００が（遠方からの）光を受けて再指向させ、図示されているように光ビームウエストを形成する２つの完全円ぼかし円盤（遠用プラス近用度数）を提供する様子を示す図であり、単焦点光学素子（例えば、遠方視用の２０／２０視力と比較して、中間視において２０／６０視力）と比較して中間視においてより低い光学分解能をもたらす様子を示す図である。
【００２８】
図７は、部分的または不完全型の光学素子と共に存在する既存の（屈折、回折または他の）光学素子７００が、近用焦点を設けることにより像を拡大する付加物として作用するよう構成され、（遠方からの）光を受けて再指向させ、（図６に示す従来の円形回折多焦点光学素子により提供される光ビームウエストに比べて）より小さな光ビームウエストを形成する２つの半円ぼかし円盤（遠用プラス近用度数）を提供する様子を示す図であり、中間視において約２倍改善された（例えば、ラインストライプパターンの解像などの特定の視対象に対する、図６の２０／６０視力から図７の２０／３０視力）光学分解能をもたらす様子を示す図である。一例として、部分的または不完全型の光学素子２００は、影響を与える光学素子下部から、影響を与えない二焦点の上部に対し、二焦点を、三焦点または四焦点へとシフトするように、（例えば、図１を参照して前述した）既存の回折光学素子を構成可能である。
【００２９】
本明細書に記載されているような（例えば、図２Ａおよび図２Ｂと同様の）部分的または不完全型の光学素子は、（既存の／他の）光学要素またはシステムに対する付加物／補助光学素子として作用するよう構成可能である。限定は無いが、例えば、光学度数２１Ｄの単焦点ＩＯＬを有する疑似有水晶体眼に対し、患者の老視ニーズに役立つ／補助するように、遠用度数２１Ｄ、近用度数２４Ｄの二焦点を眼に提供する光学度数３．０Ｄの付加物／補助光学素子を追加する。光学度数２１Ｄの単焦点ＩＯＬを有するＡＭＤ（または低視力）の眼に対し、患者の近距離／近用作業ニーズに役立つように、遠用度数２１Ｄ、近用度数３１Ｄの二焦点を眼に提供する光学度数１０．０Ｄの付加物／補助光学素子を追加する。本明細書に記載の部分的または不完全型の光学素子は、屈折（または他の）光学素子を含む（またはからなる）（既存の／他の）光学要素またはシステムに対する付加物／補助光学素子として作用するよう構成され得る。本明細書に記載の部分的または不完全型の光学素子は、眼を含む、または含むように構成され得る（既存の／他の）光学要素またはシステムに対する、付加物／補助光学素子として作用するよう構成され得る（例えば、図５または図７に記載）。
【００３０】
近方焦点を形成することによって像を拡大する部分的または不完全型の光学素子２００については、図４Ａに記載のように、または図４Ｂに記載のように、いずれの場合においても、光学素子２００は、（図７に関して前に説明したように）光ビームのより小さいウエストを形成する２つの半円ぼけディスク（遠用プラス近用度数）を提供する（遠方からの）光を受けて再指向させるよう構成される。
【００３１】
図２Ａおよび図２Ｂと同様、部分的または不完全型の光学素子２００については、図４Ａに記載のように、または図５に記載のように、いずれの場合においても、光学素子２００が、部分的または不完全型の光学素子を横切って水平に掃引する光を受け、フレアを生じさせない中心窩の周辺へと（図９に示すように）光を再指向させるよう、（既存の／他の）光学要素またはシステム（例えば、ＩＯＬ）に対する付加物／補助光学素子として光学素子２００が作用すべく構成される。
【００３２】
図７に再び示すように、光学素子７００（例えば、ＩＯＬ）を含む（またはからなる）（既存の／他の）光学要素またはシステムに対する付加物／補助光学素子（例えば、図４Ａ、図４Ｂ、図５、および図７の１つまたは複数に記載）として作用するよう構成される部分的または不完全型の光学素子２００について、部分的または不完全型の光学素子は、光学要素またはシステムに対して構成された有効領域（または部分、例えば、１つまたは複数の領域またはセクタ）を有し、部分的または不完全型の光学素子は、有効領域上に入射または有効領域に提供される光の焦点を制御または変更し、且つ、部分的または不完全型の光学素子の光学的に関連する部分を避ける光の焦点は制御または変更しない（図７に示される“Ｌ”）。
【００３３】
例示的な実施形態および実装形態は、１つまたは複数のクリップ、爪、アンカー、触覚または支持構造を含む、または提供される部分的または不完全型の光学素子（例えば、本明細書に記載）を有する光学デバイスを含む。
【００３４】
図１０Ａおよび図１０Ｂは、図２Ａおよび図２Ｂに示される部分的または不完全型の光学素子２００と同様の部分的または不完全型の光学素子１０２０と、円周リング１００２（光学デバイス１０００およびその部分的または不完全型の光学素子１０２０は、様々な実施形態において、既存の光学要素またはシステムに対して付加物として役立つまたは付加物を提供すべく作用するよう構成可能なレンズ／光学素子設計によるものおよびレンズ／光学素子設計を構成するものである）とを含む光学デバイス１０００の例示的な実施形態を示す。円周リング１００２は、上方リング部１００４と、下方リング（／光学素子支持）部１００６（例えば、図示のように形成／構成）とを含む。上方リング部１００４は、内面（“ＳＣＲｉ”で示される）と、外面（“ＳＣＲｏ”で示される）とを含む。部分的または不完全型の光学素子１０２０は、例えば、二つの対称面（“ＳＯ”で示される）と、隣接曲面（“ＳＯ´”で示され、点線で示される）である端部または側部を含むまたは端部または側部に設けられる。少なくとも１つの例示的な実施形態では、部分的または不完全型の光学素子１０２０における（光学）有効領域（“ＡＡ”で示される）（または光学的関連部分）は、少なくとも部分的に、光学素子１０２０における１つまたは複数の（例えば、面ＳＯ、ＳＯ´と同様の）端部または側部（／端面または側面）を含むまたは端部または側部（／端面または側面）により画定される（周辺）境界を有する。（上方リング部１００４の）内面ＳＣＲｉは、部分的または不完全型の光学素子１０２０の端部または側部（／端面または側面）ＳＯと共に、部分的または不完全型の光学素子１０２０の開口１０３０（または実質的に光学的に無関係な部分）を画定する。
【００３５】
図１１Ａおよび図１１Ｂは、図２Ａおよび図２Ｂの光学素子２００と同様の部分的または不完全型の光学素子１１２０と、円周リング１１０２およびループ触覚１１５０（光学デバイス１１００およびその部分的または不完全型の光学素子１１２０は、様々な実施形態において、既存の光学要素またはシステムに対して付加物として役立つまたは付加物を提供すべく作用するよう構成可能なレンズ／光学素子設計によるものおよびレンズ／光学素子設計を構成するものである）とを含む光学デバイス１１００の例示的な実施形態を示す。円周リング１１０２は、上方リング部１１０４と、下方リング（／光学素子支持）部１１０６（例えば、図示のように形成／構成）とを含む。ループ触覚１１５０は、リング１１０２の対向する外側部分にて、アーム１１５２、および基部／接続要素１１６０（例えば、図示のように形成／構成）を含む。上方リング部１１０４は、内面（“ＳＣＲｉ”で示される）と、外面（“ＳＣＲｏ”で示される）とを含む。部分的または不完全型の光学素子１１２０は、例えば、二つの対称面（“ＳＯ”で示される）と、隣接曲面（“ＳＯ´”で示され、点線で示される）である端部または側部を含むまたは端部または側部に設けられる。少なくとも１つの例示的な実施形態では、部分的または不完全型の光学素子１１２０における（光学）有効領域（“ＡＡ”で示される）（または光学的関連部分）は、少なくとも部分的に、光学素子１１２０における１つまたは複数の（例えば、面ＳＯ、ＳＯ´と同様の）端部または側部（／端面または側面）を含むまたは端部または側部（／端面または側面）により画定される（周辺）境界を有する。（上方リング部１１０４の）内面ＳＣＲｉは、部分的または不完全型の光学素子１１２０の端部または側部（／端面または側面）ＳＯと共に、部分的または不完全型の光学素子１１２０の開口１１３０（または実質的に光学的に無関係な部分）を画定する。
【００３６】
図１２Ａおよび図１２Ｂは、図２Ａおよび図２Ｂの光学素子２００と同様の部分的または不完全型の光学素子１２２０と、円周リング１２０２および板状触覚１２５０（光学デバイス１２００およびその部分的または不完全型の光学素子１２２０は、様々な実施形態において、既存の光学要素またはシステムに対して付加物として役立つまたは付加物を提供すべく作用するよう構成可能なレンズ／光学素子設計によるものおよびレンズ／光学素子設計を構成するものである）とを含む光学デバイス１２００の例示的な実施形態を示す。円周リング１２０２は、上方リング部１２０４と、下方リング（／光学素子支持）部１２０６（例えば、図示のように形成／構成）とを含む。板状触覚１２５０は、リング１２０２の対向する外側部分にて、開口（またはアパーチャー）１２６０（例えば、図示のように形成／構成）を有するまたは開口（またはアパーチャー）１２６０が提供される板状／アーム要素１２５２を含む。上方リング部１２０４は、内面（“ＳＣＲｉ”で示される）と、外面（“ＳＣＲｏ”で示される）とを含む。部分的または不完全型の光学素子１２２０は、例えば、二つの対称面（“ＳＯ”で示される）と、隣接曲面（“ＳＯ´”で示され、点線で示される）である端部または側部を含むまたは端部または側部に設けられる。少なくとも１つの例示的な実施形態では、部分的または不完全型の光学素子１２２０における（光学）有効領域（“ＡＡ”で示される）（または光学的関連部分）は、少なくとも部分的に、光学素子１２２０における１つまたは複数の（例えば、面ＳＯ、ＳＯ´と同様の）端部または側部（／端面または側面）を含むまたは端部または側部（／端面または側面）により画定される（周辺）境界を有する。（上方リング部１２０４の）内面ＳＣＲｉは、部分的または不完全型の光学素子１２２０の端部または側部（／端面または側面）ＳＯと共に、部分的または不完全型の光学素子１２２０の開口１２３０（または実質的に光学的に無関係な部分）を画定する。
【００３７】
図１３Ａおよび図１３Ｂは、図２Ａおよび図２Ｂの光学素子２００と同様の部分的または不完全型の光学素子１３２０と、円周リング１３０２、および、虹彩に固定されるよう構成された触覚１３５０（光学デバイス１３００およびその部分的または不完全型の光学素子１３２０は、様々な実施形態において、既存の光学要素またはシステムに対して付加物として役立つまたは付加物を提供すべく作用するよう構成可能なレンズ／光学素子設計によるものおよびレンズ／光学素子設計を構成するものである）とを含む光学デバイス１３００の例示的な実施形態を示す。円周リング１３０２は、上方リング部１３０４と、下方リング（／光学素子支持）部１３０６（例えば、図示のように形成／構成）とを含む。触覚１３５０は、リング１３０２の対向する外側部分にて、開口（またはアパーチャー）１３６０（例えば、図示のように形成／構成）を有するまたは開口（またはアパーチャー）１３６０が提供される板状／アーム要素１３５２を含む。触覚１３５０は、虹彩を挟んで固定する爪として役立つスリット１３７０（例えば、図示）を含む。上方リング部１３０４は、内面（“ＳＣＲｉ”で示される）と、外面（“ＳＣＲｏ”で示される）とを含む。部分的または不完全型の光学素子１３２０は、例えば、二つの対称面（“ＳＯ”で示される）と、隣接曲面（“ＳＯ´”で示され、点線で示される）である端部または側部を含むまたは端部または側部に設けられる。少なくとも１つの例示的な実施形態では、部分的または不完全型の光学素子１３２０における（光学）有効領域（“ＡＡ”で示される）（または光学的関連部分）は、少なくとも部分的に、光学素子１３２０における１つまたは複数の（例えば、面ＳＯ、ＳＯ´と同様の）端部または側部（／端面または側面）を含むまたは端部または側部（／端面または側面）により画定される（周辺）境界を有する。（上方リング部１３０４の）内面ＳＣＲｉは、部分的または不完全型の光学素子１３２０の端部または側部（／端面または側面）ＳＯと共に、部分的または不完全型の光学素子１３２０の開口１３３０（または実質的に光学的に無関係な部分）を画定する。
【００３８】
図１４Ａおよび図１４Ｂは、図２Ａおよび図２Ｂの光学素子２００と同様の部分的または不完全型の光学素子１４２０と、円周リング１４０２、および、前房に配置されるよう構成された触覚１４５０（光学デバイス１４００およびその部分的または不完全型の光学素子１４２０は、様々な実施形態において、既存の光学要素またはシステムに対して付加物として役立つまたは付加物を提供すべく作用するよう構成可能なレンズ／光学素子設計によるものおよびレンズ／光学素子設計を構成するものである）とを含む光学デバイス１４００の例示的な実施形態を示す。円周リング１４０２は、上方リング部１４０４と、下方リング（／光学素子支持）部１４０６（例えば、図示のように形成／構成）とを含む。
触覚１４５０は、リング１４０２の対向する外側部分にて、アーム１４５２、および基部／接続要素１４６０（例えば、図示のように形成／構成）を含む。上方リング部１４０４は、内面（“ＳＣＲｉ”で示される）と、外面（“ＳＣＲｏ”で示される）とを含む。部分的または不完全型の光学素子１４２０は、例えば、二つの対称面（“ＳＯ”で示される）と、隣接曲面（“ＳＯ´”で示され、点線で示される）である端部または側部を含むまたは端部または側部に設けられる。少なくとも１つの例示的な実施形態では、部分的または不完全型の光学素子１４２０における（光学）有効領域（“ＡＡ”で示される）（または光学的関連部分）は、少なくとも部分的に、光学素子１４２０における１つまたは複数の（例えば、面ＳＯ、ＳＯ´と同様の）端部または側部（／端面または側面）を含むまたは端部または側部（／端面または側面）により画定される（周辺）境界を有する。（上方リング部１４０４の）内面ＳＣＲｉは、部分的または不完全型の光学素子１４２０の端部または側部（／端面または側面）ＳＯと共に、部分的または不完全型の光学素子１４２０の開口１４３０（または実質的に光学的に無関係な部分）を画定する。
【００３９】
したがって、例示的な実施形態および実装形態では、光学デバイスは、（既存の、既に構築／構成／組み立て、または既に若しくは以前に取り付けられた）付加物（例えば、補助レンズ／光学素子）として作用するよう構成された部分的または不完全型の光学素子を含み、部分的または不完全型の光学素子は、光学要素またはシステムに対して構成された有効領域（または部分、例えば、１つまたは複数の領域またはセクタ）を有し、部分的または不完全型の光学素子は、有効領域上に入射または有効領域に提供される光の焦点を制御または変更し、且つ、部分的または不完全型の光学素子の光学的に関連する部分を避ける光の焦点は制御または変更しない。例示的な実施形態および実装形態では、部分的または不完全型の光学素子のすべての部分（すなわち、（もしあれば）レンズ本体における、有効領域および周辺部分）は、それらに入射する光に対してそのような部分が（異なる方法ではあるが）影響を及ぼすという点で、“光学的に関連する”であると考えられる。レンズ本体の周辺部分に入射する光の焦点に該周辺部分が影響を及ぼさない実施形態／実装形態において、または部分的または不完全型の光学素子が周辺部分を含まない場合、そのような場合には、“有効領域”は、部分的または不完全型の光学素子の唯一の“光学的に関連する”部分である。
【００４０】
（例えば、図１０Ａ〜図１４Ｂを参照して説明したように）通過する光に影響を及ぼさない開口を含む光学デバイスに関しては、このような開口（またはむしろ、開口を画定する光作用構造によっておよび光作用構造に対して決定される開口スペース／領域）は、光学デバイスにおける“光学的に無関係な”部分／領域とみなされるか、光学的に関係しないとみなされる。
【００４１】
例示的な実施形態および実装形態では、部分的または不完全型の光学素子は、一部（光学）円盤（例えば、実質的には半円体または半円の光学領域のみを有する光学素子）である、または一部円盤を含む。
【００４２】
例示的な実施形態および実装形態では、光学デバイスは、有効領域（の任意の部分）に隣接する、および／または、有効領域（の任意の部分）と重ならない開口（または実質的には光学的に無関係な部分）を含む。例示的な実施形態および実装形態では、このような開口は、有効領域よりも大きい光学デバイスの（例えば、光軸に沿って見られる）部分を包含し、そのことは（少なくともいくつかの実施形態では）ハロー管理に対して有益である。
【００４３】
例示的な実施形態および実装形態では、有効領域は（全体的に）扇形状（例えば、光学ゾーンサイズの半径の２倍以下の弦（chord）を有する扇形状）であり、そのことは（少なくともいくつかの実施形態では）ハロー管理に対して有益である。
【００４４】
例示的な実施形態および実装形態では、光学要素またはシステムのまたはその関連の視線（ＬＯＳ）または視軸（ＶＡ）が、有効領域の最上部またはその近傍（例えば、扇セクタの最上部近傍）にあるように、（例えば、既存の光学要素またはシステムに対して）有効領域が構成される
【００４５】
例示的な実施形態および実装形態では、（既存の光学要素またはシステムの）光学領域（またはエリア）に入射または提供される光の焦点を有効領域が制御または変更するように、（例えば、既存の光学要素またはシステムに対して）部分的または不完全型の光学素子が構成される。例示的な実施形態および実装形態では、（既存の光学要素またはシステムの）光学領域（またはエリア）が（全体的に）扇形状である、および／または、光学要素またはシステムのまたはその関連の視線（ＬＯＳ）または視軸（ＶＡ）の下方（垂直方向における下方）に光学領域が少なくとも部分的に（例えば、大部分が）配置されるように、部分的または不完全型の光学素子が構成され、そのことは（少なくともいくつかの実施形態では）ハロー管理に対して有益である。
【００４６】
前述のように、近用焦点を設けることにより、例えば、（既存の）光学要素またはシステムに対して単焦点または多焦点（セクタ）の光学素子を加えることにより、像を拡大する付加物レンズ／光学素子（例えば、ＩＯＬおよび／または一部円盤状）として作用するよう、部分的または不完全型の光学素子を提供する／構成することが可能である。例示的な実施形態および実装形態では、部分的または不完全型の光学素子が、既存の光学要素またはシステムに対して焦点深度を増加させる付加物として作用するよう構成される。例示的な実施形態および実装形態では、部分的または不完全型の光学素子は、眼科用レンズ（例えば、正または負の光学度数を提供するように構成）であるかまたはそれを含む。眼科用レンズは、例えば、単焦点のクリアレンズのような、実質的に１つの光学度数を有する光学素子を含む（またはそれらからなる）ことが可能である。眼科用レンズは、例えば、近方視および中間視を強化すべく光の焦点を制御または変化させる二焦点レンズのような多焦点光学素子を含む（またはそれらからなる）ことが可能である。例示的な実施形態および実装形態では、（既存の）光学要素またはシステムへの付加物として構成されたレンズは、三焦点の光学デバイスを提供する（または効果的に提供する）。例示的な実施形態および実装形態では、光学要素またはシステムと協働して作用する領域固有またはセクタ固有の補助レンズ／光学素子を提供するように、有効領域が構成される。例示的な実施形態および実装形態では、有効領域は、１つまたは複数の屈折光学素子または光学要素を含む（またはそれらからなる）。例示的な実施形態および実装形態では、有効領域は、１つまたは複数の回折光学素子または光学素子を含む（またはそれらからなる）。例示的な実施形態および実装形態では、部分的または不完全型の光学素子は、眼内レンズ（ＩＯＬ）の少なくとも一部を形成して提供される、および／または、眼内レンズ（ＩＯＬ）の少なくとも一部を含む。
【００４７】
本明細書に記載された技術および方法論の例示的な実施形態および実装形態は、光の遮断（遮蔽）または拡散をもたらすように構成、および／または、処理された１つまたは複数の端部または側部を含むまたは端部または側部に提供される有効領域を有する部分的または不完全型の光学要素を含む。
【００４８】
図１５Ａおよび図１５Ｂは、部分的または不完全型の光学素子１５００（例えば、部分的または不完全型の光学素子２００と同様）の例示的な実施形態を示しており、部分的または不完全型の光学素子１５００は、端部または側部を含むまたは端部または側部に提供される（全体的に）扇形状の有効領域、例えば、全体的に放射状に広がる遷移部／ゾーン（各周辺端面／側面にて“ＳＯ”で示される）を有し、加えて、いくつかの実装形態では、光（すなわち、迷光、具体的には、光デバイスの端部または側部を横切って水平に掃引する光として発生する一時的バースト、そうでない場合はフレア／グレアの元となる、光の中心窩への再指向でも起こり得る）を遮断（遮蔽）または拡散するように構成されたおよび／または処理された、（下向きの）湾曲形状の周辺部（周辺端／面にて“ＳＯ´”で示される）を有する。例示的な実施形態および実装形態では、部分的または不完全型の光学素子の有効領域２５０は、少なくとも部分的に、１つまたは複数の端部または側部／端面または側面ＳＯ、ＳＯ´を含むまたは複数の端部または側部／端面または側面によって画定される（周辺）境界を有する。
【００４９】
例示的な実施形態および実装形態では、部分的または不完全型の光学素子における（光学）有効領域２５０´（“ＢＡＡ”で示され、点線で示される）は、端面または側面ＳＯ、ＳＯ´から、例えば、０〜０．５ｍｍの範囲の距離にある（周辺）境界を有する。言い換えると、いくつかの実装形態では、有効領域の周辺境界ＢＡＡは、端面または側面ＳＯ、ＳＯ´であるか、または端面または側面ＳＯ、ＳＯ´を含む（言い換えると端面または側面ＳＯ、ＳＯ´と同じ広がりを有する）一方、他の実装形態では、有効領域の周辺境界ＢＡＡは、（例えば、交差していないか、または直接隣接している）端面または側面ＳＯ、ＳＯ´からの距離である。したがって、例示的な実施形態および実装形態（ここでは、有効領域が全体的に扇形状であるか、またはそのような形状の変形例と同様）において、有効領域の周辺境界ＢＡＡは全体的に放射状に向かうセグメントを備え、該セグメントは、有効領域の角度幅と呼べる角度αを（互いに対して）画定する。例えば、（全体的に）扇形状の有効領域の場合、角度幅αは４５°〜１８０°とすることができる。前述したように、いくつかの実装形態では、有効領域の周辺境界ＢＡＡの全体的に放射状に向けられた（例えば、対称的な）一対のセグメントが、端面または側面ＳＯと重なる、または実質的に同じ広がりを有し、その場合、全体的に放射状に向かう（有効領域の両側の）周辺端面／側面ＳＯもまた、有効領域の角度幅と呼べる角度αを（互いに対して）画定するか、またはほぼ画定する。
【００５０】
したがって、有効領域（例えば、本明細書に記載）を含む、部分的または不完全型の光学素子を含む例示的な実施形態および実装形態において、有効領域は、光（すなわち、迷光、具体的には、光デバイスの端部または側部を横切って水平に掃引する光として発生する一時的バースト、そうでない場合はフレア／グレアの元となる、光の中心窩への再指向でも起こり得る）を遮断（遮蔽）または拡散するように構成されたおよび／または処理された端部または側部（例えば、全体的に放射状に広がる遷移部／ゾーン）を含むまたは備える。
【００５１】
例示的な実施形態および実装形態では、端部または側部は光吸収表面層（例えば、端部または側部で可視スペクトル（４００ｎｍ〜７００ｎｍ）の光波長の少なくとも一部を吸収する部分）を含む、または光吸収表面層として提供される。例示的な実施形態および実装形態では、端部または側部での光沢が、端部または側部に対して指定された（最大／予測／選択／指定）光沢度（ＧＵ）値（例えば、＜３０ＧＵ）または端部または側部に対して指定された値（または、値の範囲若しくは勾配、または複数の異なる値、例えば、端部または側部における互いに異なる表面での値）よりも小さくなるように施されたまたは提供された表面（粗化／変形）処理を、端部または側部が、含むまたは該表面処理として提供される。例示的な実施形態および実装形態では、端部または側部の表面粗さが７〜１５ミクロンの山谷（ｐｅａｋ−ｖａｌｌｅｙ）高さ値を有するように施されたまたは提供された表面仕上げを、端部または側部が、含むまたは該表面仕上げとして提供される。
【００５２】
光を遮断（遮蔽）または拡散させる端部または側部は、ナノ構造（例えば、ナノチップ（コーン））の形態を含み得る、またはナノ構造の形態で提供され得る。本出願の目的上、ナノ構造は、０．１〜１０００ｎｍの範囲内にある少なくとも１つの特徴的な寸法（例えば、チップベース直径サイズ）を有する構造である、またはそう定義され得る。図２０は、（例えば、部分的または不完全型の光学素子における有効領域の）端部または側部を示す図であり、端部または側部は、コーン型または略コーン型（例えばナノチップ（コーン））のナノ構造を含みまたは提供し、該ナノ構造（例えばナノチップまたはそのコーン）において、例えば、ベース直径（Ｄ）が１００〜３００ｎｍであり、高さ（Ｈ）が１０００〜１６０００ｎｍ（１〜１６ミクロン）である例示的な実施形態および実装形態では、端部または側部は、ナノチップまたはコーンを有するナノ構造を含むか、または提供される。例示的な実施形態および実装形態では、端部または側部は、コーン型またはほぼコーン型、および／または、コーン型または全体的にコーン型の部分を含むナノ構造であるか、または提供される。そのようなナノ構造は、例えば、ナノチップ（例えば、コーン型またはほぼコーン型のナノ構造、および／または、コーン型または全体的にコーン型の部分を含むナノ構造）、（例えば、コーンの、または他の形状を有する／含むナノ構造の）ナノアレイ、非周期的または他のナノ構造のアレイ（例えば、ナノチップ）、反射防止構造（例えば、ナノチップ、コーンアレイを有する反射防止ナノ構造）、生体模倣構造（例えば生体模倣ナノチップまたは他のナノ構造、生体模倣反射防止構造）、またはそれらの一つの組み合わせ、または複数の組み合わせを含み得る。Liu F, Dong B and Liu X 2012 Optical devices in communication and computation (Bio- inspired photonic structures: prototypes, fabrications and devices) ed P Xi (Rijeka, Croatia: Intech) pp. 107-126,も参照のこと。これは本明細書において参照に寄与する。
【００５３】
図１６は、（図１５Ａおよび図１５Ｂに示す光学素子とは異なるが）全体的に扇形状の有効領域を有する部分的または不完全型の光学素子１６００の例示的な実施形態の平面図であり、光学素子１６００の有効領域には、追加の端部または端面、すなわち、“ＲＥ”で示される凹みが含まれるまたは提供され、該凹みは、“ＳＲＥ”で示される凹状の端部／端面を有する、および、凹状の端部／端面よって少なくとも一部は画定され、凹状の端部／端面は、光学素子１６００（の有効領域）による影響を受けることなく（例えば別の光学要素またはシステムに対して）光を通過させ得る開口を部分的または不完全型の光学素子１６００に提供する。図１６に示す例示的な実施形態において半径ＲＲＥによってプロファイルで示されおよび画定される、（凹みＲＥにおける）凹状の端部／端面ＳＲＥは、円または他の湾曲部分、または一部円筒、チューブ、または他の曲面構造の内面の外観を有する。凹状の端部／端面ＳＲＥは、必須ではないが、（下向きの）周辺の端部または側部／端面または側面ＳＯ´に対して同心とし得る。
【００５４】
図１７は、（図１５Ａおよび図１５Ｂに示す光学素子とは異なるが）全体的に扇形状の有効領域を有する部分的または不完全型の光学素子１７００の例示的な実施形態の平面図であり、光学素子１７００の有効領域は、追加のレンズ部またはセクタ、すなわち、（光学素子の全体的に扇形状の有効領域に対して）“ＰＲ”で示される突起が含まれるまたは提供され、該突起は、“ＳＰＲ”で示されるレンズ表面、“ＢＰＲｏ”で示される凸状外側端部／端面、および“ＢＰＲｉ”で示される凸状内側端部／端面（点線で示す）を有する、および、凹状の端部／端面よって少なくとも一部は画定される。図１７に示す例示的な実施形態において、（突起ＰＲにおける）外側および内側の端部／端面ＢＰＲｏ、ＢＰＲｉは、半径ＲＲＥによってプロファイルで示されおよび画定される。追加の円形レンズ部分またはセクタＳＰＲは、例えば、追加／増加された倍率を提供するように構成可能である。（突起ＰＲと、光学素子１７００の全体的に扇形状の有効領域との境界／移行位置での）凸状内側端部／端面ＢＰＲｉは、必須ではないが、（下向きの）周辺の端部または側部／端面または側面ＳＯ´に対して同心とし得る。部分的または不完全型の光学素子を含む光学デバイスに利用される中心合わせまたは他の位置決め戦略／アプローチは、（眼内の／眼を含む）既存の光学要素またはシステム、および補助的なレンズ／光学素子として提供されるべき光学デバイスの性質、に対する特有の考慮事項に応じ、選択または決定され得る。部分的または不完全型の光学素子を含む光学デバイスは、光学要素またはシステムのまたは光学要素またはシステムに関連するものにおける１つまたは複数の軸（例えば、部分的または不完全型の光学素子が付加物として作用可能に構成するための既存の光学要素の光学軸）に対し、中心合わせおよび／または他の方法で配置／向きされ得る。眼を含む光学システムの場合、光学デバイスは部分的または不完全型の光学素子を含み、該光学素子は、中心合わせおよび／または他の方法で配置／向きされ得（例えば、ＩＯＬの形態にて部分的または不完全型の光学素子のために光学的な（非）中心合わせおよび傾きを決定する）、この中心合わせおよび／または他の方法での配置／向きは、例えば、視線（ＬＯＳ）、視軸（ＶＡ）またはそれらと同等のもの、瞳孔軸、鼻傍軸（ｓｕｐｒａｎａｓａｌ  ａｘｉｓ）、（例えば、第１のプルキンエ像と瞳孔中心との間のいずれかにある眼の無彩色視軸を中心とする）別の軸、またはこれらの軸の組み合わせとすることができる。さらに、戦略／アプローチは、患者のハロー向きの好みに応じて、または考慮して、ＬＯＳまたはＶＡに関し、時計回りまたは反時計回りの回転を選択または決定可能である。例えば、ハローが見える一部の患者は、視野の下方の代わりに上方にハローが見えることを好むことも有り得る。Bonaque- Gonzales et al, 2015, Influence on visual quality of intraoperative operative operation of Asymmetric Intraocular Lenses J. Refract Surg. 2015, 31, pp. 651-656も参照のこと。これは本明細書において参照に寄与する。
【００５５】
視線（ＬＯＳ）は、この用途のために、眼の瞳孔などの光学要素またはシステムの開口（または他の構成要素）に対して定義される軸であるか、またはその軸であり得る。例えば、ＬＯＳは、瞳孔の幾何中心によって（例えば、散大瞳孔の幾何中心を横切ることによって）定義される軸であり得る。視軸（ＶＡ）は、この用途のために、眼の中心窩などの光学要素またはシステムの固視点および光センサに対して定義される軸であるか、またはその軸であり得る。眼を含む光学システムの場合、ＶＡは、例えば、固視点から（節点を通って）中心窩まで延びる経路または線であり得る。いくつかの実装形態では、視軸（ＶＡ）に近いものとして、角膜頂点を利用することができる。瞳孔軸は、入射瞳の中心を通過して延在する経路であり、それが横切る角膜の点に垂直である。鼻傍軸（ｓｕｐｒａｎａｓａｌ  ａｘｉｓ）は、瞳孔軸と視軸の間のいずれかにて（非）中心合わせされる軸である。Roach, L "Centration of IOLs: Challenges, Variables, and Advice for Optimal Outcomes" EyeNet April 2013 pp. 39-41も参照のこと。これは本明細書において参照に寄与する。
【００５６】
部分的または不完全型の光学素子の有効領域の周辺境界ＢＡＡに関する前述の議論（図１５Ａおよび図１５Ｂを参照）は、実施例／実施形態において、有効領域の境界／端の凹み（例えば、図１６に示す部分的または不完全型の光学素子１６００）を含むまたは具備する部分的または不完全型の光学素子、特に、（全体的に扇形状の有効領域の）端部または側部／端面または側面ＳＯに対しても適用可能である。有効領域の境界／端の凹みを含むまたは具備する光学素子は種々の設計にて提供され得る。例えば、図１６に示すように、凹状端部／端面ＳＲＥおよび端部または側部／端面または側面ＳＯは、それらの位置および方向が（例えば、それぞれ、ＬＯＳおよび水平軸“ｘ”に関して）異なる。場合によっては、端部または側部／端面または側面ＳＯの長さ／径方向幅（ｓｐａｎ）は（例えば、より短い、または場合によればより長い）というように相違する。その相違は、例えば、凹みＲＥの寸法および光学素子１６００の全体の寸法に依存し、別の光学要素またはシステムに対し構成されるべき光学素子がどのような特徴を備えるかに依存する。
【００５７】
さらに、光学素子１６００が他の（例えば、既存の）光学要素またはシステムに対してどのように構成され得るかの例については、光学要素またはシステムに関連する、視線（ＬＯＳ）および／または視軸（ＶＡ）に対する部分的または不完全型の光学素子の配置についての前述の議論（例えば、図４および図７）を参照のこと。
【００５８】
例えば、図１６に関連する少なくとも１つの実装形態では、ＲＲＥは、およそ０．５ｍｍから１．０ｍｍの範囲であり、眼内に配置された部分的または不完全型の光学素子においては、既存のレンズから１．５ｍｍ前方の距離、眼の視軸に対して約０．２ｍｍ鼻寄りおよび約０．１ｍｍ下方に配置される。
【００５９】
部分的または不完全型の光学素子の有効領域の周辺境界ＢＡＡに関する前述の議論（図１５Ａおよび図１５Ｂを参照）は、実施例／実施形態において、有効領域の境界／端の突起（例えば、図１７に示す部分的または不完全型の光学素子１７００）を含むまたは具備する部分的または不完全型の光学素子、特に、（全体的に扇形状の有効領域の）端部または側部／端面または側面ＳＯに対しても適用可能である。有効領域の境界／端の突起を含むまたは具備する光学素子は種々の設計にて提供され得る。例えば、図１７に示すように、凸状端部／端面ＳＲＥおよび端部または側部／端面または側面ＳＯは、それらの位置および方向が（例えば、それぞれ、ＬＯＳおよび水平軸“ｘ”に関して）異なる。場合によっては、端部または側部／端面または側面ＳＯの長さ／径方向幅（ｓｐａｎ）は（例えば、より短い、または場合によればより長い）というように相違する。その相違は、例えば、突起ＰＲの寸法および光学素子１７００の全体の寸法に依存し、別の光学要素またはシステムに対し構成されるべき光学素子がどのような特徴を備えるかに依存する。
【００６０】
さらに、光学素子１７００が他の（例えば、既存の）光学要素またはシステムに対してどのように構成され得るかの例については、光学要素またはシステムに関連する、視線（ＬＯＳ）および／または視軸（ＶＡ）に対する部分的または不完全型の光学素子の配置についての前述の議論（例えば、図４および図７）を参照のこと。
【００６１】
例えば、図１７に関連する少なくとも１つの実装形態では、ＲＰＲは、およそ０．５ｍｍから１．０ｍｍの範囲であり、眼内に配置された部分的または不完全型の光学素子においては、既存のレンズから１．８ｍｍ前方の距離、眼の視軸に配置／中心合わせされる。
【００６２】
図１８に示すように、１８０２での、例示的な視力強化方法１８００は、付加物としての部分的または不完全型の光学素子を既存の光学要素またはシステムに対して提供する工程を有し、部分的または不完全型の光学素子は、既存の光学要素またはシステムに対して構成された有効領域（または部分、例えば１つまたは複数の領域またはセクタ）を有し、部分的または不完全型の光学素子は、有効領域上に入射または有効領域に提供される光の焦点を制御または変更し、且つ、部分的または不完全型の光学素子の光学的に関連する部分を避ける光の焦点は制御または変更しない。
【００６３】
例えば、有効領域が、（既存の光学要素またはシステムの）光学領域（またはエリア）に入射または提供される光の焦点を制御または変更するよう、既存の光学要素またはシステムに対して部分的または不完全型の光学素子を配置する工程を、部分的または不完全型の光学素子を提供する工程が含む。例示的な実施形態および実装形態では、（既存の光学要素またはシステムの）光学領域（またはエリア）が（全体的に）扇形状である、および／または、既存の光学要素またはシステムのまたはその関連の視線（ＬＯＳ）または視軸（ＶＡ）の下方（垂直の意味での下方）に光学領域（またはエリア）が少なくとも部分的に（例えば、大部分が）配置される。
【００６４】
例示的な実施形態および実装形態では、既存の光学要素またはシステムは、眼（例えば、人間の眼）（または他の視機構またはデバイス）に移植されたレンズ（または他の光学要素）を含み、部分的または不完全型の光学素子を提供する工程は、レンズ（または他の光学要素）の移植に続いて行われる。
【００６５】
例示的な実施形態および実装形態では、既存の光学要素またはシステムは、眼（例えば、人間の眼）に移植されたレンズ（または他の光学素子）を含み、部分的または不完全型の光学素子を提供する工程は、以下の場所、（眼の）虹彩前方／前房内、（眼の）虹彩またはその近傍、（眼の）虹彩後方／毛様溝中、または（眼の）水晶体嚢内、にて眼に部分的または不完全型の光学素子を配置（例えば、移植）する工程を含む。
【００６６】
例示的な実施形態および実装形態では、既存の光学要素またはシステムは、眼（例えば、人間の眼）に移植されたレンズ（または他の光学素子）を含み、部分的または不完全型の光学素子を提供する工程は、眼の１つまたは複数の以下の部分、虹彩、前房、毛様溝（例えば、毛様溝移植でのＩＯＬ配置／固定）、水晶体嚢（例えば、水晶体嚢内でのＩＯＬ配置）、を利用して、部分的または不完全型の光学素子を眼内に固定する工程を含む。
【００６７】
例示的な実施形態および実装形態では、方法１８００（図１８を再び参照）はまた、１８０４において、光（すなわち、迷光、具体的には、光デバイスの端部または側部を横切って水平に掃引する光として発生する一時的バースト、そうでない場合はフレア／グレアの元となる、光の中心窩への再指向でも起こり得る）を遮断（遮蔽）または拡散する（１つまたは複数の）端部または側部を、（部分的または不完全型の光学素子の）有効領域に設ける工程をさらに有する。
【００６８】
例示的な実施形態および実装形態では、光を遮断（遮蔽）または拡散する端部または側部を設ける工程が、光学領域に影響を与えることなく、端部または側部にて、外側から内側に向けて、表面処理または仕上げ（例えば、マット仕上げ）を施す工程を含む。図１９に示すように、（部分的または不完全型の光学素子１５００）の端部または側部／端面または側面ＳＯ、ＳＯ´は、２つの部分／面ＳＯと、部分／面ＳＯがそれぞれ端部または側部／端面または側面ＳＯ´に隣接する周辺接合部（“Ｐ”と示される）との間における頂点（“Ａ”で示す）を含む／画定する。部分的または不完全型の光学素子１５００は、有効領域（“ＡＡ”で示される）を含む。図１９Ａは、図１９の光学素子の部分拡大図であり、（“Ｔ１”で示される矢印によって表されるように、外側から内側に向けて）光を処理、仕上げまたは他の変形を施し、光を遮断または拡散する端部または側部を有する有効領域を提供する工程の図解表現を含む。図１９Ｂは、図１９の光学素子の部分拡大図であり、（“Ｔ１・・・ＴＮ”で示される複数の態様での矢印によって表されるように、外側から内側に向けて）光を処理、仕上げまたは他の変形を施し、光を遮断または拡散する端部または側部を有する有効領域を提供する工程の図解表現を含む。例示的な実施形態および実装形態では、そのような工程は、外側から内側に向けて施されるが、有効領域の境界ＢＡＡとは接触しないまたは境界ＢＡＡより先には延在しない（光遮蔽または影響効果を与えない）。また、例示的な実施形態および実装形態では、光を遮断（遮蔽）または拡散する端部または側部を提供する工程が、光効果処理、仕上げまたは他の変形を直接施すまたはそうでなければ端部または側部／端面または側面に対して施す工程を含むまたは具備する。図１９Ｃは、一連の図において、処理、仕上げまたは他の変形をもたらす光が、光学素子の周辺から内側へと向く矢印によって表されるように（例えば、光学素子の周辺Ｐから頂点Ａに向かう内側方向、または逆方向への再位置決め）、表面Ｓに沿って指向的に照射される、（例えば、部分的または不完全型の光学素子の有効領域の、または触覚または支持構造の）端部または側部を示す図である。
【００６９】
例示的な実施形態および実装形態では、光を遮断（遮蔽）または拡散する端部または側部を設ける工程が、端部または側部に（例えば、可視光波長（４００ｎｍ〜７００ｎｍ）の少なくとも一部を吸収する）光吸収表面層を施す工程を含む。例示的な実施形態および実装形態では、端部または側部での光沢が、端部または側部に対して指定された（最大／予測／選択／指定）光沢度（ＧＵ）値（例えば、＜３０ＧＵ）または端部または側部に対して指定された値（または、値の範囲若しくは勾配、または複数の異なる値、例えば、端部または側部における互いに異なる表面での値）よりも小さくなるように施されたまたは提供された表面（粗化／変形）処理を施す工程を、光を遮断（遮蔽）または拡散する端部または側部を設ける工程が含む。例示的な実施形態および実装形態では、光を遮断（遮蔽）または拡散する端部または側部を設ける工程が、端部または側部の表面粗さが７〜１５ミクロンの山谷（ｐｅａｋ−ｖａｌｌｅｙ）高さ値を有する（特徴とする）ように、端部または側部にて表面仕上げを施す（例えば、端部および／または側部をフライス加工する）工程を含む。
【００７０】
例示的な実施形態および実装形態では、光を遮断（遮蔽）または拡散する端部または側部を設ける工程が、リソグラフィ技術（例えば、コロイドリソグラフィ）、エッチング技術（例えば、電子サイクロトロン共鳴（ＥＣＲ）プラズマエッチング、反応イオンエッチング（ＲＩＥ）または（自己マスク化）ドライエッチング技術などのプラズマエッチング技術）、ＵＶ／オゾン表面技術（ＵＳ８，０８８，３１４Ｂ２を参照のこと。これは本明細書において参照に寄与する。）の１つまたは複数を利用し、端部または側部に対し１つまたは複数の表面構造を施すおよび／または変形する工程を含む。例えば、エッチング技術（例えば、プラズマエッチング技術）を利用して、１つまたは複数の表面構造を、端部または側部に設ける（例えば、施すおよび／または変形する）ことが可能である。例示的な実施形態および実装形態では、疎水性アクリルポリマーからなる（または含有する）部分的または不完全型の光学素子の端部および／または側部にて表面改質が施されるまたは成される。
【００７１】
例示的な実施形態および実装形態では、光を遮断（遮蔽）または拡散する端部または側部を設ける工程が、端部または側部に対し、例えばナノチップ（コーン）のようなナノ構造を提供する工程を含む。そのようなナノ構造は、例えば、ナノチップ（例えば、コーン型または略コーン型のナノ構造および／またはコーン型または全体的にコーン型の部分を含むナノ構造）、（例えばコーン型の、または他の形態を有する／含むナノ構造の）ナノアレイ、（例えばナノチップの）ナノ構造の非周期的または他のアレイ、反射防止構造（例えばナノチップ、コーンアレイを有する反射防止ナノ構造）、生体模倣構造（例えば生体模倣ナノチップまたは他のナノ構造、生体模倣反射防止構造）、またはそれらの一つの組み合わせ、または複数の組み合わせを含む。Liu F, Dong B and Liu X 2012 Optical devices in communication and computation (Bio-inspired photonic structures: prototypes, fabrications and devices) ed P Xi (Rijeka, Croatia: Intech) pp. 107-126も参照のこと。これは本明細書において参照に寄与する。
【００７２】
図２０を参照して前述したように、ナノ構造は、コーン型または略コーン型（例えば、ナノチップ（コーン））であり、ナノ構造（またはナノチップまたはそのコーン）は、例えば、ベースの直径（Ｄ）および高さ（Ｈ）における１，０００〜１６，０００ｎｍ（すなわち、１〜１６ミクロン）である。例示的な実施形態および実装形態では、光を遮断（遮蔽）または拡散する端部または側部を設ける工程が、コーン形状または略コーン形状のナノ構造を（端部または側部に）提供する工程を含み、該ナノ構造において、ベース直径が１００〜３００ｎｍであり、高さが１０００〜１６０００ｎｍである（および／またはコーン型または全体的にコーン型の部分を含むナノ構造である）。
【００７３】
例示的な実施形態および実装形態では、追加的または代替的に、光学デバイスの他の部分／面に対する光効果処理、仕上げまたは他の変形を提供すべく、本明細書で論じる技術および工程を利用することができる。例えば、再び図１０Ａ〜図１４Ｂに示すように、触覚または支持構造（例えば、触覚に隣接するＳＯの周辺の上方または下方、またはその両方）の内側部分／面（ＳＨ´で示される）はまた、１つまたは複数の光効果処理、仕上げ、および／または、その上に入射する光を遮断または拡散させる他の変更を受け得る。
【００７４】
レンズ／光学素子の設計の他の部分／面にとって、例えば、凹みＲＥ（図１６）および突起ＰＲ（図１７）の端部または側部／端面または側面に対する、前述にて論じた光学デバイスの他の部分／面に対する光効果処理、仕上げまたは他の変形も、（例えば、部分的または不完全型の光学素子における光学的に関連または関連の可能性が有る部分／面、および光学要素またはシステムに対して光学素子をどのように構成すべきかに関する特徴に応じて適用可能なものとして）利用可能である。
【００７５】
例示的な実施形態および実装形態では、光学デバイスが、１つまたは複数のクリップ、爪、アンカー、触覚または支持構造、１つまたは複数の以下の部分をさらに有し、該部分は、光（すなわち、迷光、具体的には、光デバイスの端部または側部を横切って水平に掃引する光として発生する一時的バースト、そうでない場合はフレア／グレアの元となる、光の中心窩への再指向でも起こり得る）を遮断（遮蔽）または拡散すべく構成されおよび／または処理（表面処理または仕上げ、例えば、マット仕上げ）される部分である。
【００７６】
例えば、再び図１０Ａ〜図１４Ｂに示すように、これらおよびその他の例の光学デバイスにおける触覚または支持構造の１つまたは複数の部分／面は、光を遮断（遮蔽）または拡散すべく構成されおよび／または処理される部分であり、該部分は、例えば、部分的または不完全型の光学素子における端部または側部／端面または側面ＳＯ、および／または、（下方に向いた）周辺の端部または側部／端面または側面ＳＯ´に対し、光効果処理、仕上げ、および／または変形を提供することに加えて、またはそれに代わるよう構成されおよび／または処理される部分である。触覚のそのような部分／面は“ＳＨ”と示し（図１０Ａ〜図１４Ｂに示すように触覚の反対側の左右の周辺の部分／面についてのみ説明）、且つ、触覚のそのような部分／面は例えば光効果処理／変形は伴わない状態でグレアの元となる部分／面を含む。いくつかの実装形態では、触覚におけるそのような部分／面は、（例えば、部分的または不完全型の光学素子が作用すべく構成された既存の光学要素またはシステムのまたはその関連の）視線（ＬＯＳ）および／または視軸（ＶＡ）に対して交差する周辺の部分／面に対して垂直な部分／面、および／または該交差する周辺の部分／面を含む。この文脈の中で、例えば、ＬＯＳは、上述の垂直部分／面の向きが直交（または垂直）である水平面内にあると考えることができる。ＬＯＳに垂直または交差する（図５、図１６または図１７にて“ｘ”で示される軸のような）水平線は、部分的または不完全型の光学素子を上方部分と下方部分とに分ける境界を（少なくとも概念的に）提供すべく利用可能である。このような水平線は、例えば、部分的または不完全型の光学素子での（すなわち通過する）平面内にあり得、且つ、該光学素子の向きを表すものでもあり得る。また、この文脈の中で、水平基準（線または平面）は、部分的または不完全型の光学素子が作用するよう構成される光学要素またはシステムに対し（例えば光学要素またはシステムに対して固定されたものとして）、または、部分的または不完全型の光学素子に対し（例えば部分的または不完全型の光学素子に対して固定されたものとして）、画定され得る。
【００７７】
状況によっては、光学要素またはシステム、および／または、部分的または不完全型の光学素子の撮像要素（画像取得）機能のまたは該機能についての動作環境に対し、方向／向きを画定することが有用であろう。例えば、水平基準（線または平面）は、部分的または不完全型の光学素子が作用するよう構成される光学要素またはシステムによって視覚的に気付き得る、環境に存在する物体（この点、対向するヘッドライトが象徴的である）に対して択一的に画定されうる。このような参照系において、（方向または向きにおいて）“垂直”とみなされるものは、例えば（部分的または不完全型の光学素子が構成される）光学要素またはシステムが作用環境に対して向きが変わる（ＬＯＳ／ＶＡが再指向する）よう、（部分的または不完全型の光学素子の部分／構造に対して）変化する。
【００７８】
図２１Ａおよび図２１Ｂは、図２Ａおよび図２Ｂのものと同様の部分的または不完全型の光学素子２００と、図１１Ａおよび図１１Ｂの光学デバイス１１００のものと同様の円周リング２１０２およびループ触覚２１５０を含む光学デバイス２１００の例示的な実施形態の平面図である（様々な実施形態において、光学デバイス２１００および部分的または不完全型の光学素子２１２０は、既存の光学要素またはシステムの付加物として役に立つまたは付加物を提供するよう作用すべく構成される）。円周リング２１０２は、上方リング部２１０４と、下方リング（／光学素子支持）部２１０６（例えば、図示のように形成／構成）とを含む。ループ触覚２１５０は、リング２１０２の対向する外側部分にて、アーム２１５２、および基部／接続要素２１６０（例えば、図示のように形成／構成）を含む。上方リング部２１０４は、内面（“ＳＣＲＩ”で示される）と、外面（“ＳＣＲｏ”で示される）とを含む。部分的または不完全型の光学素子２１２０は、例えば、二つの対称面（“ＳＯ”で示される）と、隣接曲面（“ＳＯ´”で示され、点線で示される）である端部または側部を含むまたは端部または側部に設けられる。上方リング部１００４は、内面（“ＳＣＲｉ”で示される）と、外面（“ＳＣＲｏ”で示される）とを含む。部分的または不完全型の光学素子１０２０は、例えば、二つの対称面（“ＳＯ”で示される）と、隣接曲面（“ＳＯ´”で示され、点線で示される）である端部または側部を含むまたは端部または側部に設けられる。（上方リング部２１０４の）内面ＳＣＲｉは、部分的または不完全型の光学素子２１２０の端部または側部（／端面または側面）ＳＯと共に、部分的または不完全型の光学素子２１２０の開口２１３０（または実質的に光学的に無関係な部分）を画定する。
【００７９】
部分的または不完全型の光学素子２１２０および円周リング２１０２は、軟質材料（例えば、参照により本明細書に組み込まれる米国特許出願公開第２０１０／０１４５４４６号に記載されているような折り畳み可能な軟質アクリル材料）（例えば、ＨＯＹＡサージカルオプティクスから利用可能なＡＦ−１  ６．０ｍｍボタン状材料である軟質アクリル材料）からなり、２つの湾曲形状のアーム２１５２（およびそれらのそれぞれの基部／接続要素２１６０）は、部分的または不完全型の光学素子２１２０および円周リング２１０２の材質よりも硬い材質（例えばポリメチルメタクリレート（ＰＭＭＡ））からなる。
【００８０】
図２１Ｂは、図２１Ａの光学デバイス２１００の寸法を示す。一例として、光学デバイス２１００の寸法は、以下のようにすることができる。角度αは約１６０°、Ｍ２１−１は例えば１２．５ｍｍ、Ｍ２１−２は例えば約６．０ｍｍ、Ｍ２１−３は例えば約５．６ｍｍ（Ｍ２１−２とＭ２１−３の間の差は、円周リング２１０２の内面ＳＣＲＩと外面ＳＣＲｏとの間の半径距離０．２ｍｍを示す）。
【００８１】
（光学デバイス２１００の）ループ触覚２１５０は、（開口２１３０に隣接する）上方リング部２１０４および（部分的または不完全型の光学素子２１２０に隣接する）下方リング部２１０６の周辺部分にて、図示のように、各々、接続された基部／接続要素２１６０を含む。
【００８２】
図２１Ａおよび図２１Ｂを参照すると、光学デバイス２１００と同様の光学デバイス（例えば、人間の眼に形成した創口内へと）を取り付ける（挿入する）方法またはプロセスの一例では、（ピンセットやレンズケースなどを使用して）ｘ軸に沿ってレンズが折り畳まれる（または折り曲げられる）。
【００８３】
図２２Ａおよび図２２Ｂは、図２Ａおよび図２Ｂのものと同様の部分的または不完全型の光学素子２００と、２つの湾曲形状のアームを有する円周リング２２０２およびループ触覚２２５０（光学デバイス２２００およびその部分的または不完全型の光学素子２２２０、様々な実施形態において、既存の光学要素またはシステムの役に立つまたは既存の光学要素またはシステムに対して付加されるよう作用すべく構成可能なレンズ／光学素子設計を実現したもの）を含む光学デバイス２２００の例示的な実施形態の平面図である。円周リング２２０２は、上方リング部２２０４と、下方リング（／光学素子支持）部２２０６（例えば、図示のように形成／構成）とを含む。ループ触覚２２５０は、リング２２０２の対向する外側部分にて、アーム２２５２、基部／接続要素２２６０（例えば、図示のように形成／構成）、および（光学デバイスの）周辺の支持／接続構造２２７０（例えば図示のように基部／接続要素２２６０と共に一体形成）を含む。上方リング部２２０４は、内面（“ＳＣＲＩ”で示される）と、外面（“ＳＣＲｏ”で示される）とを含む。部分的または不完全型の光学素子２２２０は、例えば、二つの対称面（“ＳＯ”で示される）と、隣接曲面（“ＳＯ´”で示され、破線で示される）である端部または側部を含むまたは端部または側部に設けられる。光学デバイスのこの例の設計では、基部／接続要素２２６０と周辺支持／接続構造２２７０とが共に光学デバイス２２００周辺全体におよびその周辺に構造支持を提供する。（上方リング部２２０４の）内面ＳＣＲＩは、部分的または不完全型の光学素子２２２０の端部または側部（／端面または側面）ＳＯと共に、部分的または不完全型の光学素子２２２０の開口２２３０（または実質的に光学的に無関係な部分）を画定する。
【００８４】
部分的または不完全型の光学素子２２２０および円周リング２２０２は、軟質材料（例えば、参照により本明細書に組み込まれる米国特許出願公開第２０１０／０１４５４４６号に記載されているような折り畳み可能な軟質アクリル材料）（例えば、ＨＯＹＡサージカルオプティクスから利用可能なＡＦ−１  ６．０ｍｍボタン状材料である軟質アクリル材料）からなり、２つの湾曲形状のアーム２２５２（およびそれらのそれぞれの基部／接続要素２２６０）および（光学デバイスの）周辺支持／接続構造２２７０は、部分的または不完全型の光学素子２２２０および円周リング２２０２の材質よりも硬い材質（例えばポリメチルメタクリレート（ＰＭＭＡ））からなる。
【００８５】
図２２Ｂは、図２２Ａの光学デバイス２２００の寸法を示す。一例として、光学デバイス２２００の寸法は、以下のようにすることができる。Ｍ２２−１は例えば１３．０ｍｍ、Ｍ２２−２は例えば約６．５ｍｍ、Ｍ２２−３は例えば約６．２ｍｍ（Ｍ２２−２とＭ２２−３の間の差は、（光学デバイスの）周辺支持／接続構造２２７０が示すように内面と外面との間の半径距離を示す）、Ｍ２２−４は例えば約５．６ｍｍ（Ｍ２２−３とＭ２２−４の間の差は、円周リング２２０２の内面ＳＣＲＩと外面ＳＣＲｏとの間の半径距離を示す）。
【００８６】
（光学デバイス２２００の）ループ触覚２２５０は、（開口２１３０に隣接する）上方リング部２１０４および（部分的または不完全型の光学素子２１２０に隣接する）下方リング部２１０６の周辺部分にて、図示のように、各々、接続された基部／接続要素２１６０を含み、（光学デバイス２２００の）円周リング２２０２の周辺全体におよびその周辺に構造支持を提供するよう、基部／接続要素２２６０と周辺支持／接続構造２２７０とが（図示のように）構成される。
【００８７】
図２２Ａおよび図２２Ｂを参照すると、光学デバイス２２００と同様の光学デバイスを（例えば、人間の眼に形成した創口内へと）取り付ける（挿入する）方法またはプロセスの一例では、２つの湾曲形状のアーム２２５２がレンズ周辺に近接して（例えば、周辺支持／接続構造２２７０に隣接して）配置される一方、レンズが折り畳まれず（折り曲げられず）、より大きな創口サイズを必要とする（例えば、図２２Ａおよび図２２Ｂの例の光学デバイスを設置／挿入するために少なくとも６．５ｍｍ）。これは、ＡＭＤ（必ずしも白内障ベースではない）患者に対する毛様溝固定または強膜縫合のような複雑な眼科事案、または、ＰＭＭＡ  ＩＯＬが適切である眼科事案に、適している可能性がある。
【００８８】
したがって、例示的な実施形態では、光学デバイスは、（既存の）光学要素またはシステムへの付加物（例えば、補助的なレンズ／光学素子）としてされて作用するよう構成された部分的または不完全型の光学素子を含み、部分的または不完全型の光学素子が、光学要素またはシステムに対して構成された有効領域（または部分、例えば、１つまたは複数の領域またはセクタ）を有し、部分的または不完全型の光学素子は、有効領域上に入射または有効領域に提供される光の焦点を制御または変更し、且つ、部分的または不完全型の光学素子の光学的に関連する部分を避ける光の焦点は制御または変更しない。光学デバイスは、有効領域に隣接する、および／または、有効領域と重ならない開口を含み、部分的または不完全型の光学素子は、開口の一部分を画定する円周リングを含み、そして、光学デバイスは、触覚または支持構造の腕が圧縮されているときに開口に隣接する円周リングの湾曲を防止するように（そうでなければ／もしそのように防止しない場合または少なくとも湾曲を和らげる場合は、より大きな偏心およびより大きな光学的傾斜を有する光学デバイスとなるように）、円周リングの周辺全体またはその近傍に構造支持を提供するよう保証かつ構成された触覚または支持構造を含む。例示的な実施形態および実装形態では、部分的または不完全型の光学素子および円周リングは、第１の材料（例えば、軟質アクリル材料）により形成され、触覚または支持構造は、第１の材料よりも硬い（例えば、ポリメチルメタクリレート（ＰＭＭＡ））第２の物質により形成される１つまたは複数の周辺支持／接続構造を含む。
【００８９】
図２３Ａおよび図２３Ｂは、図２Ａおよび図２Ｂのものと同様の部分的または不完全型の光学素子２００と、円周リング２３０２およびループ触覚２３５０を含む光学デバイス２３００の例示的な実施形態の平面図である（様々な実施形態において、光学デバイス２１００および部分的または不完全型の光学素子２３２０は、既存の光学要素またはシステムの付加物として役に立つまたは付加物を提供するよう作用すべく構成される）。円周リング２３０２は、上方リング部２３０４と、下方リング（／光学素子支持）部２３０６（例えば、図示のように形成／構成）とを含む。ループ触覚２３５０は、リング２３０２の対向する外側部分にて、アーム２３５２、基部／接続要素２３６０（湾曲端部２３６２を含む、例えば、図示のように形成／構成）、および（光学デバイスの）周辺の支持／接続構造２３７０（例えば図示のように、基部／接続要素２３６０と共に一体形成、および／または、湾曲端部２３７２を含む）を含む。光学デバイスのこの例の設計では、基部／接続要素２３６０と周辺支持／接続構造２３７０とが共に光学デバイス２３００周辺全体におよびその周辺に構造支持を提供する（例えば、図示）。上方リング部２３０４は、内面（“ＳＣＲＩ”で示される）と、外面（“ＳＣＲｏ”で示される）とを含む。部分的または不完全型の光学素子２３２０は、例えば、二つの対称面（“ＳＯ”で示される）と、隣接曲面（“ＳＯ´”で示され、破線で示される）である端部または側部を含むまたは端部または側部に設けられる。少なくとも１つの例示的な実施形態では、部分的または不完全型の光学素子２３２０における（光学）有効領域（または光学的関連部分）は、少なくとも部分的に、光学素子２３２０における１つまたは複数の（例えば、面ＳＯ、ＳＯ´と同様の）端部または側部（／端面または側面）を含むまたは端部または側部（／端面または側面）により画定される（周辺）境界を有する。（上方リング部２３０４の）内面ＳＣＲＩは、部分的または不完全型の光学素子２３２０の端部または側部（／端面または側面）ＳＯと共に、部分的または不完全型の光学素子２３２０の開口２３３０（または実質的に光学的に無関係な部分）を画定する。
【００９０】
部分的または不完全型の光学素子２３２０および円周リング２３０２は、軟質材料（例えば、参照により本明細書に組み込まれる米国特許出願公開第２０１０／０１４５４４６号に記載されているような折り畳み可能な軟質アクリル材料）（例えば、ＨＯＹＡサージカルオプティクスから利用可能なＡＦ−１  ６．０ｍｍボタン状材料である軟質アクリル材料）からなり、２つの湾曲形状のアーム２３５２、それらのそれぞれの基部／接続要素２３６０、（光学デバイスの）周辺支持／接続構造２３７０（およびその湾曲端部２３７２）は、部分的または不完全型の光学素子２３２０および円周リング２３０２の材質よりも硬い材質（例えばポリメチルメタクリレート（ＰＭＭＡ））からなる。
【００９１】
図２３Ｂは、図２３Ａの光学デバイス２３００の寸法を示す。一例として、光学デバイス２３００の寸法は、以下のようにすることができる。Ｍ２３−１は例えば１３．０ｍｍ、Ｍ２３−２は例えば約６．５ｍｍ、Ｍ２３−３は例えば約６．２ｍｍ（Ｍ２３−２とＭ２３−３の間の差は、（光学デバイスの）周辺支持／接続構造２３７０が示すように内面と外面との間の半径距離を示す）、Ｍ２３−４は例えば約５．６ｍｍ（Ｍ２３−３とＭ２３−４の間の差は、（光学デバイスの）周辺支持／接続構造２３７０の内面（／レンズ接続面）と、部分的または不完全型の光学素子２３２０の有効領域の外側周辺との間の半径距離を示す）、Ｍ２３−５は例えば約６．１ｍｍ（Ｍ２３−６は例えば約２．５５ｍｍ（図２３Ａおよび図２３Ｂのそれぞれの周辺支持／接続構造の湾曲端部２３６２および２３７２の間にてｙ軸に直交する距離を示し、Ｍ２３−６はさらに（円周リングの対向する側にありｙ軸から等距離にある）円周リングの他の周辺部分の境界を示し、該境界は、周辺支持／接続構造の一方とは直接的に連結／接続しておらず、光学デバイスは他の周辺部分（および、この例では、ｙ軸に沿って）（例えば創口へと光学デバイスを設置／挿入する工程中）にて／を通じて折り畳み可能となっている））、そして湾曲端部２３６２および２３７１に対するＭ２３−１は例えば約Ｒ０．３である。
【００９２】
（光学デバイス２３００の）ループ触覚２３５０は、（開口２３３０に隣接する）上方リング部２３０４および（部分的または不完全型の光学素子２３２０に隣接する）下方リング部２３０６の周辺部分にて、図示のように（例えば開口２３３０に対して、および／または、部分的または不完全型の光学素子２３２０の１つまたは複数の境界に対して、対称的）（例えば、ｙ軸に対して対称的）、基部／接続要素２３６０を含み、基部／接続要素２３６０および周辺支持／接続構造２３７０が、共に（例えば部分的または不完全型の光学素子２３２０の１つまたは複数の境界に対称的に）、（光学デバイス２３００の）円周リングの周辺部分にて構造支持を提供する。
【００９３】
図２３Ａおよび図２３Ｂを参照すると、光学デバイス２３００と同様の光学デバイス（例えば、人間の眼に形成した創口内へと）を取り付ける（挿入する）方法またはプロセスの一例では、（ピンセットやレンズケースなどを使用して）ｙ軸に沿ってレンズが折り畳まれる（または折り曲げられる）。したがって、図２３Ａおよび図２３Ｂの例の光学デバイスは、共に折り畳み可能であり、触覚または支持構造の腕が圧縮されているときに開口に隣接する円周リングの湾曲を防止するように（そうでなければ／もしそのように防止しない場合または少なくとも湾曲を和らげる場合は、より大きな偏心およびより大きな光学的傾斜を有する光学デバイスとなるように）、円周リングの周辺部分にて支持構造を提供するよう構成される。５．５ｍｍのボタン型材料が利用される（製造される）場合、例示的な光学デバイス２２００（図２２Ａおよび２２Ｂ）と同様、または例示的な光学デバイス（例えば、図２３Ａおよび２３Ｂ）と同様の光学デバイスは、光学直径６．０ｍｍを実現できる。
【００９４】
したがって、例示的な実施形態では、光学デバイスは、（既存の）光学要素またはシステムへの付加物（例えば、補助的なレンズ／光学素子）としてされて作用するよう構成された部分的または不完全型の光学素子を含み、部分的または不完全型の光学素子が、光学要素またはシステムに対して構成された有効領域（または部分、例えば、１つまたは複数の領域またはセクタ）を有し、部分的または不完全型の光学素子は、有効領域上に入射または有効領域に提供される光の焦点を制御または変更し、且つ、部分的または不完全型の光学素子の光学的に関連する部分を避ける光の焦点は制御または変更しない。光学デバイスは、有効領域に隣接する、および／または、有効領域と重ならない開口を含み、部分的または不完全型の光学素子は、開口の一部分を画定する円周リングを含み、そして、光学デバイスは、触覚または支持構造の腕が圧縮されているときに開口に隣接する円周リングの湾曲を防止するように（そうでなければ／もしそのように防止しない場合または少なくとも湾曲を和らげる場合は、より大きな偏心およびより大きな光学的傾斜を有する光学デバイスとなるように）、円周リングの周辺全体またはその近傍に構造支持を提供するよう保証かつ構成された触覚または支持構造を含む。例示的な実施形態および実装形態では、部分的または不完全型の光学素子および円周リングは、第１の材料（例えば、軟質アクリル材料）により形成され、触覚または支持構造は、第１の材料よりも硬い（例えば、ポリメチルメタクリレート（ＰＭＭＡ））第２の物質により形成される１つまたは複数の周辺支持／接続構造を含む。例示的な実施形態および実装形態では、触覚または支持構造は、部分的または不完全型の光学素子の１つまたは複数の境界に対して対称的に（および／または非対称的に）構成された周辺支持／接続構造を含む。例示的な実施形態および実装形態では、触覚または支持構造は、開口に対して対称的に構成され、開口に対して非対称に構成され、またはそれらの組み合わせた周辺支持／接続構造を含む。例示的な実施形態および実装形態では、触覚または支持構造は、円周リングの（例えば対向側での）他の周辺部分には直接的には接続せず、且つ、（例えば創口内に光学デバイスを設置／挿入する工程中に）光学デバイスが該他の周辺部分にて（例えば、軸を横切る方向に沿って）折り畳み可能となるように構成される周辺支持／接続構造を含む。例示的な実施形態および実装形態では、触覚または支持構造は、光学デバイスが折り畳み可能となる光学デバイスの部分に対して（対称的または非対称的のいずれかで）光学デバイスにおける対向側にて構成される周辺支持／接続構造を含む。例示的な実施形態および実装形態では、周辺部分は、円周リングの対向側にあり、且つ、光学デバイスが折り畳み可能となる光学デバイスの部分と交差する軸（例えば部分的または不完全型の光学素子および／または開口に対して画定）から略等距離にある。例示的な実施形態および実装形態では、触覚または支持構造は、湾曲端部を有する周辺支持／接続構造を含み、円周リングは湾曲端部と隣接する露出周辺部分を含む。例示的な実施形態および実装形態では、円周リングの周辺部分は、露出した周辺部分（およびレンズの円周のほぼ全体）での曲率において滑らか／一様であり、湾曲端部２３６２および２３７２は露出したレンズ材料に対して先細りしている（例えば、本明細書で示した／述べたように円周リングの露出した周辺部分に向かって湾曲させる／遷移させる）。
【００９５】
本発明は、上述の例示的な実施形態に関して記載されているが、上述の実施形態に対する多数の修正および／または追加が当業者には容易に明らかであろう。本発明の範囲は、そのような変更および／または追加の全てに及ぶことが意図されている。
【図１】
2018532517.tif 000003
【図２】
2018532517.tif 000004
【図３】
2018532517.tif 000005
【図４】
2018532517.tif 000006
【図５】
2018532517.tif 000007
【図６】
2018532517.tif 000008
【図７】
2018532517.tif 000009
【図８】
2018532517.tif 000010
【図９】
2018532517.tif 000011
【図１０】
2018532517.tif 000012
【図１１】
2018532517.tif 000013
【図１２】
2018532517.tif 000014
【図１３】
2018532517.tif 000015
【図１４】
2018532517.tif 000016
【図１５】
2018532517.tif 000017
【図１６】
2018532517.tif 000018
【図１７】
2018532517.tif 000019
【図１８】
2018532517.tif 000020
【図１９】
2018532517.tif 000021
【図２０】
2018532517.tif 000022
【図２１】
2018532517.tif 000023
【図２２】
2018532517.tif 000024
【図２３】
2018532517.tif 000025
【国際調査報告】
2018532517.tif 000026
2018532517.tif 000027
2018532517.tif 000028
2018532517.tif 000029